(57)【要約】画像データ群を効率的に送信することができる内視鏡システム、端末装置、サーバ、送信方法およびプログラムを提供する。端末装置（８）は、画像データ群の状態を示す状態情報に基づいて、表示部（８２）において画像データ群を閲覧する際の読影ワークフローの種別を推定する推定部（８６２）と、推定部（８６２）が推定した読影ワークフローに基づいて、選択した画像データ群に対して端末装置（８）へ送信する送信画像データ群を設定する設定部（８６３）と、設定部（８６３）が設定した送信画像データ群を端末装置（８）に送信する制御を行う送信制御部（８６４）と、を備える。
2018074223.tif 000002
【特許請求の範囲】
【請求項１】
画像データ群を複数蓄積する蓄積部と、  ネットワークを介して前記蓄積部が蓄積する複数の前記画像データ群のいずれかを選択し、選択した前記画像データ群を閲覧可能な閲覧部と、  前記選択した前記画像データ群の状態を示す状態情報に基づいて、前記閲覧部において前記画像データ群を閲覧する際の読影ワークフローの種別を推定する推定部と、  前記推定部が推定した前記読影ワークフローに基づいて、前記選択した前記画像データ群に対して前記閲覧部へ送信する送信画像データ群を設定する設定部と、  前記設定部が設定した前記送信画像データ群を前記閲覧部に送信する制御を行う送信制御部と、  を備えたことを特徴とする内視鏡システム。
【請求項２】
前記状態情報には、前記画像データ群に対するユーザの所見に関する所見情報、前記画像データ群に対する読影結果に基づく診断に関する診断情報および該診断情報を書き込んだユーザの署名に関する署名情報の各々の有無に関する有無情報が含まれることを特徴とする請求項１に記載の内視鏡システム。
【請求項３】
前記状態情報には、前記閲覧部による前記画像データ群に対するアクセスログ情報、前記閲覧部において前記画像データ群を閲覧した際の操作ログ情報、前記閲覧部における前記画像データ群を閲覧する際の閲覧モードに関する閲覧モードログ情報、前記画像データ群を読影したユーザを識別する識別ログ情報および前記閲覧部において前記画像データ群を閲覧した閲覧時間に関する閲覧時間ログ情報が含まれることを特徴とする請求項１に記載の内視鏡システム。
【請求項４】
前記設定部は、  前記推定部が推定した前記読影ワークフローに基づいて、前記選択した前記画像データ群に対して、前記閲覧部へ送信する送信順を設定することを特徴とする請求項１〜３のいずれか一つに記載の内視鏡システム。
【請求項５】
前記推定部が前記読影ワークフローを前記画像データ群に対して新規に読影を行う新規読影ワークフローと推定した場合、前記選択した前記画像データ群に対し、該画像データ群の全体像を俯瞰的に閲覧可能な前記送信画像データ群を設定し、  前記推定部が前記読影ワークフローを前記画像データ群に対する読影を途中で中断した後に再度読影を行う中断後読影再開ワークフローと推定した場合、前記選択した前記画像データ群に対し、読影を中断した直前の画像データの撮影時刻を基準に前記送信画像データ群を設定し、  前記推定部が前記読影ワークフローを読影が終了した後に再度読影を行う読影済検査ワークフローと推定した場合、前記選択した前記画像データ群に対し、所定の情報が付加された画像データのみを前記送信画像データ群に設定することを特徴とする請求項１〜４のいずれか一つに記載の内視鏡システム。
【請求項６】
前記設定部は、  前記推定部が前記読影ワークフローを前記選択した前記画像データ群に対して、別途に新規な読影を行う別途新規読影ワークフローと指定した場合、前記選択した前記画像データ群に対し、該画像データ群の全体像を俯瞰的に閲覧可能な前記送信画像データ群を設定することを特徴とする請求項１〜５のいずれか一つに記載の内視鏡システム。
【請求項７】
前記設定部は、前記選択した前記画像データ群に対して、前回の読影で送信不要とされた画像データ群を除外して前記送信画像データ群を設定することを特徴とする請求項１〜６のいずれか一つに記載の内視鏡システム。
【請求項８】
前記推定部は、  前記所見情報が無い場合、前記読影ワークフローを前記画像データ群に対して新規に読影を行う新規読影ワークフローと推定し、  前記所見情報が有り、前記診断情報および前記署名情報の各々が無い場合、前記読影ワークフローを前記画像データ群に対する読影を途中で中断した後に再度読影を行う中断後読影再開ワークフローと推定し、  前記所見情報、前記診断情報および前記署名情報の各々がある場合、前記読影ワークフローを読影が終了した後に再度読影を行う読影済検査ワークフローと推定することを特徴とする請求項２に記載の内視鏡システム。
【請求項９】
画像データ群を複数蓄積する蓄積部に対して、双方向に通信可能な端末装置であって、  前記蓄積部が蓄積する複数の前記画像データ群のいずれかを選択する選択信号の入力を受け付ける操作入力部と、  前記選択した前記画像データ群の状態を示す状態情報に基づいて、当該端末装置において前記画像データ群を閲覧する際の読影ワークフローの種別を推定する推定部と、  前記推定部が推定した前記読影ワークフローに基づいて、前記選択した前記画像データ群に対して当該端末装置へ送信する送信画像データ群を設定する設定部と、  前記設定部が設定した前記送信画像データ群を当該端末装置に送信させる制御を行う送信制御部と、  を備えたことを特徴とする端末装置。
【請求項１０】
画像を表示可能な表示部と、各種操作を指示する操作信号の入力を受け付け可能な操作入力部と、を備えた端末装置に対して、双方向に通信可能なサーバであって、  画像データ群を複数蓄積する蓄積部と、  前記蓄積部が蓄積する複数の前記画像データ群のいずれか一つの送信を要求する要求信号を前記端末装置から受信した場合、前記要求信号に対応する前記画像データ群の状態を示す状態情報に基づいて、前記端末装置において前記画像データ群を閲覧する際の読影ワークフローの種別を推定する推定部と、  前記推定部が推定した前記読影ワークフローに基づいて、前記要求信号に対応する前記画像データ群に対して前記端末装置へ送信する送信画像データ群を設定する設定部と、  前記設定部が設定した前記送信画像データ群を前記端末装置に送信する制御を行う送信制御部と、  を備えたことを特徴とするサーバ。
【請求項１１】
画像データ群を複数蓄積する蓄積部と、前記画像データ群を閲覧可能な閲覧部と、を備えた内視鏡システムが実行する送信方法であって、  ネットワークを介して前記蓄積部が蓄積する複数の前記画像データ群のいずれかを選択する選択信号の入力を受け付ける入力ステップと、  前記選択した前記画像データ群の状態を示す状態情報に基づいて、前記閲覧部において前記画像データ群を閲覧する際の読影ワークフローの種別を推定する推定ステップと、  前記推定ステップが推定した前記読影ワークフローに基づいて、前記選択した前記画像データ群に対して前記閲覧部へ送信する送信画像データ群を設定する設定ステップと、  前記設定ステップが設定した前記送信画像データ群を前記閲覧部に送信する制御を行う送信制御ステップと、  を含むことを特徴とする送信方法。
【請求項１２】
画像データ群を複数蓄積する蓄積部と、前記画像データ群を閲覧可能な閲覧部と、を備えた内視鏡システムに、  ネットワークを介して前記蓄積部が蓄積する複数の前記画像データ群のいずれかを選択する選択信号の入力を受け付ける入力ステップと、  前記選択した前記画像データ群の状態を示す状態情報に基づいて、前記閲覧部において前記画像データ群を閲覧する際の読影ワークフローの種別を推定する推定ステップと、  前記推定ステップが推定した前記読影ワークフローに基づいて、前記選択した前記画像データ群に対して前記閲覧部へ送信する送信画像データ群を設定する設定ステップと、  前記設定ステップが設定した前記送信画像データ群を前記閲覧部に送信する制御を行う送信制御ステップと、  を実行させることを特徴とするプログラム。
【発明の詳細な説明】
【技術分野】
【０００１】  本発明は、ネットワークを介して被検体内に導入されたカプセル型内視鏡が撮像して生成した被検体内の画像データ群をクライアントの端末装置へ送信する内視鏡システム、端末装置、サーバ、送信方法およびプログラムに関する。
【背景技術】
【０００２】  従来、内視鏡の分野においては、被検体内に導入されて被検体内を撮像するカプセル型内視鏡を用いた検査が知られている。カプセル型内視鏡は、被検体の消化管内に導入可能な大きさに形成されたカプセル形状の筐体内に撮像機能や無線機能等を内蔵させた装置であり、被検体の口から飲み込まれた後、蠕動運動等により消化管内を移動しつつ撮像を行って画像データを生成する。生成された画像データは、カプセル型内視鏡から被検体外に順次、無線送信される。【０００３】  カプセル型内視鏡から無線送信された画像データは、被検体外に設けられた受信装置により受信され、受信装置に内蔵された内蔵メモリまたは着脱自在な可搬型メモリ等の記録媒体に蓄積される。検査終了後、記録媒体に蓄積された画像データは、ワークステーション等の情報管理装置に転送（ダウンロード）され、所定の画像処理が施される。医療従事者は、画像処理が施された画像データに対応する画像を観察することにより被検体の診断を行う。【０００４】  一方、近年においては、画像データや検査情報等の医療情報を管理するネットワークシステムの構築が進められている。このようなネットワークシステムに対して、ネットワークを介して医療画像データを含む種々の医療情報を送受信することによって、例えば医療画像を１つの施設で集中管理したり、検査を実施した施設と異なる施設に常駐する専門の医師が医療画像を読影したりといった様々な試みがなされている。【０００５】  例えば、ＣＴおよびＭＲＩの各々で撮影された画像データ群を記録するサーバと、このサーバと通信可能に接続され、サーバから送信された画像データに対応する画像を表示する端末装置と、を備えた画像転送システムが知られている（特許文献１参照）。この技術では、ＣＴで撮影された第１の画像群とＭＲＩで撮影された第２の画像群とを比較しながら診断する場合において、端末装置がＣＴで撮影された第１の画像群を表示しているとき、サーバが端末装置で表示中の画像に基づいて第２の画像群の画像転送順を決定し、この決定した画像転送順で第２の画像群を端末装置に順次送信する。
【先行技術文献】
【特許文献】
【０００６】
【特許文献１】特開２００９−２３０７５５号公報
【発明の概要】
【発明が解決しようとする課題】
【０００７】  ところで、上述したカプセル型内視鏡で撮影された複数の画像データ群を管理するネットワークシステムでは、端末装置側で指定された画像データ群の状態を考慮することなく、サーバが端末装置側で指定された画像データ群を端末装置へ撮影順に送信していた。読影という作業は、時間がかかるため、途中まで行った後に、別の場所や別の日に行ったり、読影を専門とする人または施設に依頼し、読影が行われた状態で最終判断を行ったり、一度読影を行った後に再確認を行ったりする。このため、上述した従来技術のネットワークシステムでは、画像データ群の読影状態を考慮することなく、同じアルゴリズムで撮影順に画像データを送信するので、画像データ群の読影が途中の状態であったり、既に読影済みの状態であったりしても、ユーザが所望する画像データが送信されるまでに時間が掛かってしまい、効率的でなかった。【０００８】  本発明は、上記に鑑みてなされたものであって、画像データ群を効率的に送信することができる内視鏡システム、端末装置、サーバ、送信方法およびプログラムを提供することを目的とする。
【課題を解決するための手段】
【０００９】  上述した課題を解決し、目的を達成するために、本発明に係る内視鏡システムは、画像データ群を複数蓄積する蓄積部と、ネットワークを介して前記蓄積部が蓄積する複数の前記画像データ群のいずれかを選択し、選択した前記画像データ群を閲覧可能な閲覧部と、前記選択した前記画像データ群の状態を示す状態情報に基づいて、前記閲覧部において前記画像データ群を閲覧する際の読影ワークフローの種別を推定する推定部と、前記推定部が推定した前記読影ワークフローに基づいて、前記選択した前記画像データ群に対して前記閲覧部へ送信する送信画像データ群を設定する設定部と、前記設定部が設定した前記送信画像データ群を前記閲覧部に送信する制御を行う送信制御部と、を備えたことを特徴とする。【００１０】  また、本発明に係る内視鏡システムは、上記発明において、前記状態情報には、前記画像データ群に対するユーザの所見に関する所見情報、前記画像データ群に対する読影結果に基づく診断に関する診断情報および該診断情報を書き込んだユーザの署名に関する署名情報の各々の有無に関する有無情報が含まれることを特徴とする。【００１１】  また、本発明に係る内視鏡システムは、上記発明において、前記状態情報には、前記閲覧部による前記画像データ群に対するアクセスログ情報、前記閲覧部において前記画像データ群を閲覧した際の操作ログ情報、前記閲覧部における前記画像データ群を閲覧する際の閲覧モードに関する閲覧モードログ情報、前記画像データ群を読影したユーザを識別する識別ログ情報および前記閲覧部において前記画像データ群を閲覧した閲覧時間に関する閲覧時間ログ情報が含まれることを特徴とする。【００１２】  また、本発明に係る内視鏡システムは、上記発明において、前記設定部は、前記推定部が推定した前記読影ワークフローに基づいて、前記選択した前記画像データ群に対して、前記閲覧部へ送信する送信順を設定することを特徴とする。【００１３】  また、本発明に係る内視鏡システムは、上記発明において、前記推定部が前記読影ワークフローを前記画像データ群に対して新規に読影を行う新規読影ワークフローと推定した場合、前記選択した前記画像データ群に対し、該画像データ群の全体像を俯瞰的に閲覧可能な前記送信画像データ群を設定し、前記推定部が前記読影ワークフローを前記画像データ群に対する読影を途中で中断した後に再度読影を行う中断後読影再開ワークフローと推定した場合、前記選択した前記画像データ群に対し、読影を中断した直前の画像データの撮影時刻を基準に前記送信画像データ群を設定し、前記推定部が前記読影ワークフローを読影が終了した後に再度読影を行う読影済検査ワークフローと推定した場合、前記選択した前記画像データ群に対し、所定の情報が付加された画像データのみを前記送信画像データ群に設定することを特徴とする。【００１４】  また、本発明に係る内視鏡システムは、上記発明において、前記設定部は、前記推定部が前記読影ワークフローを前記選択した前記画像データ群に対して、別途に新規な読影を行う別途新規読影ワークフローと指定した場合、前記選択した前記画像データ群に対し、該画像データ群の全体像を俯瞰的に閲覧可能な前記送信画像データ群を設定することを特徴とする。【００１５】  また、本発明に係る内視鏡システムは、上記発明において、前記設定部は、前記選択した前記画像データ群に対して、前回の読影で送信不要とされた画像データ群を除外して前記送信画像データ群を設定することを特徴とする。【００１６】  また、本発明に係る内視鏡システムは、上記発明において、前記推定部は、前記所見情報が無い場合、前記読影ワークフローを前記画像データ群に対して新規に読影を行う新規読影ワークフローと推定し、前記所見情報が有り、前記診断情報および前記署名情報の各々が無い場合、前記読影ワークフローを前記画像データ群に対する読影を途中で中断した後に再度読影を行う中断後読影再開ワークフローと推定し、前記所見情報、前記診断情報および前記署名情報の各々がある場合、前記読影ワークフローを読影が終了した後に再度読影を行う読影済検査ワークフローと推定することを特徴とする。【００１７】  また、本発明に係る端末装置は、画像データ群を複数蓄積する蓄積部に対して、双方向に通信可能な端末装置であって、前記蓄積部が蓄積する複数の前記画像データ群のいずれかを選択する選択信号の入力を受け付ける操作入力部と、前記選択した前記画像データ群の状態を示す状態情報に基づいて、当該端末装置において前記画像データ群を閲覧する際の読影ワークフローの種別を推定する推定部と、前記推定部が推定した前記読影ワークフローに基づいて、前記選択した前記画像データ群に対して当該端末装置へ送信する送信画像データ群を設定する設定部と、前記設定部が設定した前記送信画像データ群を当該端末装置に送信させる制御を行う送信制御部と、を備えたことを特徴とする。【００１８】  また、本発明に係るサーバは、画像を表示可能な表示部と、各種操作を指示する操作信号の入力を受け付け可能な操作入力部と、を備えた端末装置に対して、双方向に通信可能なサーバであって、画像データ群を複数蓄積する蓄積部と、前記蓄積部が蓄積する複数の前記画像データ群のいずれか一つの送信を要求する要求信号を前記端末装置から受信した場合、前記要求信号に対応する前記画像データ群の状態を示す状態情報に基づいて、前記端末装置において前記画像データ群を閲覧する際の読影ワークフローの種別を推定する推定部と、前記推定部が推定した前記読影ワークフローに基づいて、前記要求信号に対応する前記画像データ群に対して前記端末装置へ送信する送信画像データ群を設定する設定部と、前記設定部が設定した前記送信画像データ群を前記端末装置に送信する制御を行う送信制御部と、を備えたことを特徴とする。【００１９】  また、本発明に係る送信方法は、画像データ群を複数蓄積する蓄積部と、前記画像データ群を閲覧可能な閲覧部と、を備えた内視鏡システムが実行する送信方法であって、ネットワークを介して前記蓄積部が蓄積する複数の前記画像データ群のいずれかを選択する選択信号の入力を受け付ける入力ステップと、前記選択した前記画像データ群の状態を示す状態情報に基づいて、前記閲覧部において前記画像データ群を閲覧する際の読影ワークフローの種別を推定する推定ステップと、前記推定ステップが推定した前記読影ワークフローに基づいて、前記選択した前記画像デー��群に対して前記閲覧部へ送信する送信画像データ群を設定する設定ステップと、前記設定ステップが設定した前記送信画像データ群を前記閲覧部に送信する制御を行う送信制御ステップと、を含むことを特徴とする。【００２０】  また、本発明に係るプログラムは、画像データ群を複数蓄積する蓄積部と、前記画像データ群を閲覧可能な閲覧部と、を備えた内視鏡システムに、ネットワークを介して前記蓄積部が蓄積する複数の前記画像データ群のいずれかを選択する選択信号の入力を受け付ける入力ステップと、前記選択した前記画像データ群の状態を示す状態情報に基づいて、前記閲覧部において前記画像データ群を閲覧する際の読影ワークフローの種別を推定する推定ステップと、前記推定ステップが推定した前記読影ワークフローに基づいて、前記選択した前記画像データ群に対して前記閲覧部へ送信する送信画像データ群を設定する設定ステップと、前記設定ステップが設定した前記送信画像データ群を前記閲覧部に送信する制御を行う送信制御ステップと、を実行させることを特徴とする。
【発明の効果】
【００２１】  本発明によれば、画像データ群を効率的に送信することができるという効果を奏する。
【図面の簡単な説明】
【００２２】
【図１】図１は、本発明の実施の形態１に係る内視鏡システムの概略構成を示す模式図である。
【図２】図２は、本発明の実施の形態１に係るサーバの機能構成を示すブロック図である。
【図３】図３は、本発明の実施の形態１に係る端末装置の機能構成を示すブロック図である。
【図４】図４は、本発明の実施の形態１に係る端末装置が表示する読影画面の一例を示す図である。
【図５】図５は、本発明の実施の形態１に係る端末装置が実行する処理の概要を示すフローチャートである。
【図６Ａ】図６Ａは、新規読影ワークフローにおいて端末装置に送信された症例ファイルの画像データ群の送信順およびキャプチャーされた画像を模式的に示す図である。
【図６Ｂ】図６Ｂは、読影済検査ワークフローにおいて端末装置に送信された症例ファイルの画像データ群、画像データ群の送信順および新規読影ワークフローにおいてキャプチャーされた画像を模式的に示す図である。
【図７Ａ】図７Ａは、新規読影ワークフローにおいて端末装置に送信された症例ファイルの画像データ群の送信順を模式的に示す図である。
【図７Ｂ】図７Ｂは、読影済検査ワークフローにおいて端末装置に送信された症例ファイルの画像データ群および送信順を模式的に示す図である。
【図８】図８は、本発明の実施の形態２に係る端末装置が実行する処理の概要を示すフローチャートである。
【図９】図９は、本発明の実施の形態３に係る端末装置が実行する処理の概要を示すフローチャートである。
【図１０Ａ】図１０Ａは、新規読影ワークフローにおいて端末装置に送信された症例ファイルの画像データ群の送信順、新規読影ワークフローにおいてキャプチャーされた画像および所定期間毎の閲覧時間を模式的に示す図である。
【図１０Ｂ】図１０Ｂは、読影済検査ワークフローにおいて端末装置に送信された症例ファイルの画像データ群、画像データ群の送信順および新規読影ワークフローにおいてキャプチャーされた画像を模式的に示す図である。
【図１１】図１１は、本発明の実施の形態３の変形例に係る端末装置が実行する処理の概要を示すフローチャートである。
【図１２】図１２は、本発明の実施の形態４に係るサーバの機能構成を示すブロック図である。
【図１３】図１３は、本発明の実施の形態４に係るサーバが実行する処理の概要を示すフローチャートである。
【発明を実施するための形態】
【００２３】  以下、本発明の実施の形態に係る内視鏡システムについて、図面を参照しながら説明する。なお、以下の実施の形態により本発明が限定されるものではない。また、各図面の記載において、同一部分には同一の符号を付して説明を省略する。
【００２４】（実施の形態１）  〔内視鏡システムの構成〕  図１は、本発明の実施の形態１に係る内視鏡システムの概略構成を示す模式図である。図１に示す内視鏡システム１は、被検体２内に導入され、被検体２内を撮影することによって画像データを生成し、無線信号に重畳して外部へ送信するカプセル型内視鏡３と、カプセル型内視鏡３から送信された無線信号を、被検体２に装着された受信アンテナユニット４を介して受信する受信装置５と、被検体２に対して実施される検査に関する検査情報および検査結果である画像データ群を管理するとともに、画像データに画像処理を行って画像データに対応する画像を表示する検査情報管理装置６（ワークステーション）と、ネットワークＮ１００を介して検査情報管理装置６から送信された検査情報および画像データ群を症例ファイル毎に記録するとともに、端末装置８から要求された症例ファイルの画像データ群を送信するサーバ７と、ネットワークＮ１００を介して外部から検査情報および症例ファイルの画像データ群を取得する端末装置８（クライアント）と、を備える。検査情報管理装置６、サーバ７および端末装置８は、ネットワークＮ１００を介して双方向に通信可能に無線または有線によって接続される。
【００２５】  カプセル型内視鏡３は、被検体２内を撮像する撮像機能と、被検体２内を撮像して得られた画像データを含む体内情報を受信アンテナユニット４へ送信する無線通信機能と、を有する。カプセル型内視鏡３は、被検体２内に飲み込まれることによって被検体２内の食道を通過し、消化管腔の蠕動運動によって被検体２の体腔内を移動する。カプセル型内視鏡３は、被検体２の体腔内を移動しながら微小な時間間隔、例えば０．５秒間隔（２ｆｐｓ）で被検体２の体腔内を順次撮像し、撮像した被検体２内の画像データを生成して受信アンテナユニット４へ順次送信する。
【００２６】  受信アンテナユニット４は、受信アンテナ４ａ〜４ｈを備える。受信アンテナ４ａ〜４ｈは、カプセル型内視鏡３から無線信号を受信して受信装置５へ送信する。受信アンテナ４ａ〜４ｈは、ループアンテナやアクティブアンテナ等を用いて構成される。受信アンテナ４ａ〜４ｈの各々は、被検体２の体表面上の所定の位置、例えばカプセル型内視鏡３の通過経路である被検体２の各臓器に対応した位置に取り付けられる。
【００２７】  受信装置５は、受信アンテナ４ａ〜４ｈを介してカプセル型内視鏡３から送信された無線信号に含まれる被検体２内の画像データを記録または被検体２内の画像データに対応する画像を表示する。受信装置５は、カプセル型内視鏡３の位置情報および時間を示す時間情報等を、受信アンテナ４ａ〜４ｈを介して受信して画像データに対応付けて記録する。受信装置５は、カプセル型内視鏡３による検査が行われている間、例えば被検体２の口から導入され、消化管内を移動して被検体２内から排出されるまでの間、受信装置ホルダ（図示せず）に収納されて被検体２に携帯される。受信装置５は、カプセル型内視鏡３による検査の終了後、被検体２から取り外され、カプセル型内視鏡３から受診した画像データ群の転送のため、検査情報管理装置６と接続される。また、受信装置５は、カプセル型内視鏡３による検査の終了後、後述する検査情報管理装置６を介さず、ネットワークＮ１００を介してサーバ７へ画像データを送信してもよいし、受信装置５に着脱自在なメモリカード等の記録媒体（図示せず）を用いて画像データを転送または移動させてもよい。
【００２８】  検査情報管理装置６は、受信装置５を介して取得した被検体２の画像データに対応する画像を表示するとともに、画像データと被検体２の検査情報とを対応付けて記録する。検査情報管理装置６は、受信装置５から画像データ等を読み取るクレードル６１と、キーボードやマウス等の操作入力デバイス６２と、を備える。クレードル６１は、受信装置５が装着された際に、受信装置５から画像データや、この画像データに関連付けられた位置情報、時間情報、カプセル型内視鏡３の識別情報および被検体２に関する被検体情報等の関連情報を取得し、取得した各種情報を検査情報管理装置６へ転送する。操作入力デバイス６２は、ユーザの操作による入力を受け付ける。ユーザは、操作入力デバイス６２を操作しつつ、検査情報管理装置６が表示する被検体２の画像を見ながら、被検体２の生体部位、例えば食道、胃、小腸および大腸等を観察し、被検体２の病変等の診断および読影を行う。また、検査情報管理装置６は、受信装置５から取得した画像データと関連情報とを対応付けて、ネットワークＮ１００を介してサーバ７へ送信する。検査情報管理装置６は、ＣＰＵ（Central  Processing  Unit）、液晶や有機ＥＬ（Electro  Luminescence）等の表示パネルおよび揮発性メモリや不揮発性メモリ等の記録媒体等を用いて構成される。
【００２９】  サーバ７は、ネットワークＮ１００を介して検査情報管理装置６から送信された画像データ群と関連情報とを対応付けて症例ファイル毎に記録する。ここで、関連情報とは、被検体２を識別する識別情報、被検体２に導入したカプセル型内視鏡３を識別するカプセル識別情報、被検体２を診断した病院や施設を識別する施設情報、被検体２を診断する医者を識別する医者識別情報等である。また、サーバ７は、ネットワークＮ１００を介して端末装置８から症例ファイルにおける画像データ群の送信の要求があった場合、端末装置８から要求された症例ファイルの画像データ群を所定の送信順に従って送信する。なお、サーバ７の詳細な構成は後述する。
【００３０】  端末装置８は、サーバ７が記録する複数の症例ファイルの画像データ群の一覧を、ネットワークＮ１００を介して表示し、ユーザによって選択された症例ファイルの画像データ群の送信をサーバ７へ要求する。端末装置８は、サーバ７から送信された画像データに対応する画像を、ネットワークＮ１００を介して表示するとともに、端末装置８で入力を受け付けた操作情報をサーバ７へ送信する。なお、端末装置８の詳細な構成は後述する。
【００３１】  〔サーバの詳細な構成〕  まず、サーバ７の詳細な構成について説明する。図２は、サーバ７の機能構成を示すブロック図である。図２に示すサーバ７は、通信部７１と、記録部７２と、サーバ制御部７３と、を備える。なお、本実施の形態１では、サーバ７が蓄積部として機能する。
【００３２】  通信部７１は、サーバ制御部７３の制御のもと、ネットワークＮ１００を介して検査情報管理装置６または端末装置８等の外部機器との間で通信に必要な情報を含む各種データを所定のプロトコルに従って送受信する。
【００３３】  記録部７２は、Ｆｌａｓｈメモリ、ＲＡＭおよびＨＤＤ等の記録媒体を用いて構成され、サーバ７に関する各種情報および通信部７１を介して受信した画像データや各種情報を記録する。記録部７２は、サーバ７を動作させるためのプログラムや端末装置８の要求に応じて端末装置８で実行させる各種アプリケーションのためのプログラムを記録するプログラム記録部７２１と、カプセル型内視鏡３が生成した画像データ群等を記録する画像データ記録部７２２と、を有する。ここで、画像データ群とは、時間的に連続する複数の画像データ、所定の間隔で撮像された複数の画像データおよびピックアップされた複数の画像データのいずれかである。
【００３４】  サーバ制御部７３は、サーバ７を構成する各部に対する指示やデータの転送等を行うことによって、サーバ７の動作を統括的に制御する。サーバ制御部７３は、サーバ送信制御部７３１を有する。
【００３５】  サーバ送信制御部７３１は、端末装置８から送信された要求信号に応じて、画像データ記録部７２２が記録する症例ファイルの画像データ群を送信する。
【００３６】  〔端末装置の詳細な構成〕  次に、端末装置８の詳細な構成について説明する。図３は、端末装置８の機能構成を示すブロック図である。図３に示す端末装置８は、通信部８１と、表示部８２と、タッチパネル８３と、操作入力部８４と、記録部８５と、端末制御部８６と、を備える。なお、本実施の形態１では、端末装置８が閲覧部として機能する。なお、本実施の形態１では、端末装置８を携帯可能な多機能型のタブレットを例に説明するが、これに限定されることなく、例えばノート型パーソナルコンピュータであっても適用することができるし、もちろん、スマートフォン等の携帯電話であっても適用することができる。
【００３７】  通信部８１は、端末制御部８６の制御のもと、ネットワークＮ１００を介してサーバ７との間で通信に必要な情報を含む各種データの無線信号を所定のプロトコルに従って送受信する。具体的には、通信部８１は、ネットワークＮ１００を介してカプセル型内視鏡３が生成した被検体２の画像データを格納した画像ファイルをサーバ７から受信（ダウンロード）するとともに、端末装置８で受け付けた各種操作情報をサーバ７へ送信（アップロード）する。通信部８１は、Ｗｉ-Ｆｉ（Wireless  Fidelity）（登録商標）通信、Ｂｌｕｅｔｏｏｔｈ（登録商標）通信、４Ｇ無線や３Ｇ無線を利用した通信や、ＷｉＭＡＸ（Worldwide  Interoperability  for  Microwave  Access）通信等のいずれかの通信方式によって各種データを送信する。
【００３８】  表示部８２は、サーバ７から送信された画像データに対応する画像、端末装置８に関する各種情報または端末装置８が実行可能な各種アプリケーションに関する情報を表示する。表示部８２は、液晶または有機ＥＬ等の表示パネル等を用いて構成される。
【００３９】  タッチパネル８３は、表示部８２の表示画面上に重畳して設けられ、外部からの物体（タッチペンや指）が接触した接触位置（座標情報）を検出し、この検出結果に応じた信号の入力を受け付ける。タッチパネル８３の方式としては、抵抗膜方式、静電容量方式および光学方式のいずれの方式も適用可能である。
【００４０】  操作入力部８４は、端末装置８の各種操作の信号の入力を受け付ける。例えば、操作入力部８４は、端末装置８の電源をオンまたはオフする信号の入力を受け付ける電源釦、表示部８２の表示態様を切り替える信号の入力を受け付ける切替ボタン、各種アプリケーションを実行させる指示信号の入力を受け付けるアプリケーション実行ボタン等を用いて構成される。
【００４１】  記録部８５は、Ｆｌａｓｈメモリ、ＲＡＭ（Random  Access  Memory）および記録媒体等を用いて構成され、端末装置８に関する各種情報を記録する。記録部８５は、端末装置８を動作させるためのプログラムや各種アプリケーションを実行するためのプログラムを記録するプログラム記録部８５１と、画像データを記録する画像データ記録部８５２と、サーバ７から送信された画像データ群や端末装置８の処理中の各種情報等を一時的に記録する一時記録部８５３と、を備える。
【００４２】  端末制御部８６は、端末装置８を構成する各部に対する指示やデータの転送等を行うことによって、端末装置８の動作を制御する。端末制御部８６は、ＣＰＵ等を用いて構成される。端末制御部８６は、表示制御部８６１と、推定部８６２と、設定部８６３と、送信制御部８６４と、を有する。
【００４３】  表示制御部８６１は、表示部８２の表示態様を制御する。表示制御部８６１は、ネットワークＮ１００を介してサーバ７から受信した画像データに対応する画像を表示部８２に表示させる。
【００４４】  推定部８６２は、タッチパネル８３または操作入力部８４を介してサーバ７が記録する複数の画像データ群のなかから選択された画像データ群の状態を示す状態情報に基づいて、端末装置８において画像データ群を閲覧する際の読影ワークフローの種別を推定する。ここで、状態情報には、画像データ群に対するユーザの所見に関する所見情報、画像データ群に対する読影結果に基づく診断情報および該診断情報を行ったユーザの署名に関する署名情報の各々の有無に関する有無情報が含まれる。推定部８６２は、所見情報が無い場合、読影ワークフローを画像データ群に対して新規に読影を行う新規読影ワークフローと推定し、所見情報が有り、診断情報および署名情報の各々が無い場合、読影ワークフローを画像データ群に対する読影を途中で中断した後に再度読影を行う中断後読影再開ワークフローと推定し、所見情報、診断情報および署名情報の各々がある場合、読影ワークフローを読影が終了した後に再度読影を行う読影済検査ワークフローと推定する。
【００４５】  設定部８６３は、推定部８６２が推定した読影ワークフローに基づいて、端末装置８において選択された画像データ群に対して端末装置８へ送信する送信画像データ群を設定する。また、設定部８６３は、推定部８６２が推定した読影ワークフローに基づいて、端末装置８において選択した画像データ群に対して、端末装置８へ送信する送信順を設定する。具体的には、設定部８６３は、推定部８６２が読影ワークフローを画像データ群に対して新規に読影を行う新規読影ワークフローと推定した場合、選択した画像データ群に対し、この画像データ群の全体像を俯瞰的に可能な送信画像データ群を設定し、推定部８６２が読影ワークフローを画像データ群に対する読影を途中で中断した後に再度読影を行う中断後読影再開ワークフローと推定した場合、選択した画像データ群に対し、読影を中断した直前の画像データの撮影時刻を基準に送信画像データ群を設定し、推定部８６２が読影ワークフローを読影が終了した後に再度読影を行う読影済検査ワークフローと推定した場合、選択した画像データ群に対し、所定の情報が付加された画像データのみを送信画像データ群に設定する。
【００４６】  送信制御部８６４は、設定部８６３が設定した送信順に従って送信画像データ群を端末装置８へ順次送信する制御を行う。具体的には、送信制御部８６４は、設定部８６３が設定した送信画像データ群を端末装置８へ順次送信する制御を行うようにサーバ７へ要求信号を送信する。
【００４７】  〔端末装置が表示する読影画面〕  次に、上述した端末装置８が表示する読影画面の詳細について説明する。図４は、端末装置８が表示する読影画面の一例を示す図である。
【００４８】  図４に示すように、読影画面Ｂ２には、画像データに対応する画像Ｐを表示する画像領域Ｒと、画像データ群を時系列に沿って順次再生する動画再生モードを指示する指示信号の入力を受け付ける動画アイコンＡ１と、画像データ群を所定の枚数だけ一覧表示するオーバビューモードを指示する指示信号の入力を受け付けるオーバービューアイコンＡ２と、動画の再生フレームレートを設定する指示信号の入力を受け付けるフレームレートアイコンＡ３と、実再生フレーム（Actual  speed）を表示する表示領域Ａ４と、画像データ群を一枚毎に表示する一枚表示モードを指示する指示信号の入力を受け付ける一枚表示モードアイコンＡ５と、動画のコマを複数同時に表示させる複数表示モードを指示する指示信号の入力を受け付ける複数表示モードアイコンＡ６と、画像データ群に対して特定の条件で抽出した特徴的な画像を表示する特徴画像再生モードを指示する指示信号の入力を受け付ける特徴画像再生モードアイコンＡ７と、画像データ群に対して出血や赤色を含む赤色画像データを抽出して赤色画像を表示する出血モードを指示する指示信号の入力を受け付けるレッドモードアイコンＡ８と、画像が撮影された際のカプセル型内視鏡３の位置を３次元的に模式的に表示する３次元モードを指示する指示信号の入力を受け付ける３次元モードアイコンＡ９と、選択されている再生モードを表示するモード表示領域Ａ１０と、再生される画像データのコマ送りまたはコマ戻りを指示する指示信号の入力を受け付けるコマ指示部Ａ１１と、を含む。
【００４９】  さらに、読影画面Ｂ２には、選択された症例の平均色バーＴ１と、平均色バーＴ１上に対応する画像を選択するスライドバーＴ２と、スライドバーＴ２の時間（選択位置を示す）と、タイムコードＴ３と、選択された症例のダウンロード状況を示すダウンロードバーＴ４と、選択された症例であって、既に読影済みでキャプチャーされたキャプチャー画像Ｃ１〜Ｃ３と、を含む。
【００５０】  さらにまた、フレームレートアイコンＡ３には、フレームレートを下げる指示信号の入力を受け付けるダウンアイコンＡ３１と、フレームレートを上げる指示信号の入力を受け付けるアップアイコンＡ３２と、を含む。さらに、コマ指示部Ａ１１には、画像のコマ送りを指示する指示信号の入力を受け付けるコマ送りアイコンＡ１１１と、画像のコマ戻りを指示する指示信号の入力を受け付けるコマ戻りアイコンＡ１１２と、を含む。
【００５１】  なお、読影画面Ｂ２には、特徴画像再生モードアイコンＡ７およびレッドモードアイコンＡ８の並びに、画像データ群から特徴的な画像データを抽出したり、赤み成分の強い画像データを抽出したりせず、画像データ群の全てを順次再生するノーマルモードを指示する指示信号の入力を受け付けるノーマルモードアイコンおよび画像データ群から所定の条件で抽出された一部の画像データのみを順次再生するオートスピードモード（Auto  Speed  Adjust）を指示する指示信号の入力を受け付けるオートスピードモードアイコンを設けてもよい。この２つのモードの場合、読影画面Ｂ２の画像領域Ｒに選択された症例の画像データ群を全て表示させないので、サーバ７からダウンロードするデータの通信量を抑制することができる。
【００５２】  〔端末装置の処理〕  次に、医者等のユーザが端末装置８を用いてサーバ７に記録された所定の症例ファイルに対して読影を行う際の端末装置８の処理について説明する。図５は、端末装置８が実行する処理の概要を示すフローチャートである。
【００５３】  図５に示すように、まず、ユーザによって操作入力部８４が操作され、読影開始を指示する指示信号が入力された場合、送信制御部８６４は、サーバ７に対して症例一覧データ（検査ＩＤと画像データ群とを対応付けた症例ファイル）を要求する要求信号を送信する（ステップＳ１０１）。
【００５４】  続いて、サーバ７から症例一覧データを受信した場合（ステップＳ１０２：Ｙｅｓ）、端末装置８は、後述するステップＳ１０３へ移行する。これに対して、サーバ７から症例一覧データを受信していない場合（ステップＳ１０２：Ｎｏ）、端末装置８は、上述したステップＳ１０１へ戻る。
【００５５】  ステップＳ１０３において、操作入力部８４から表示部８２が表示する複数の症例のいずれかを選択する選択信号が入力された場合（ステップＳ１０３：Ｙｅｓ）、端末装置８は、後述するステップＳ１０５へ移行する。これに対して、操作入力部８４から表示部８２が表示する複数の症例のいずれかを選択する選択信号が入力されていない場合（ステップＳ１０３：Ｎｏ）、端末装置８は、後述するステップＳ１０４へ移行する。
【００５６】  ステップＳ１０４において、操作入力部８４からログアウトする指示信号が入力された場合（ステップＳ１０４：Ｙｅｓ）、端末装置８は、本処理を終了する。これに対して、操作入力部８４からログアウトする指示信号が入力されていない場合（ステップＳ１０４：Ｎｏ）、端末装置８は、上述したステップＳ１０３へ戻る。
【００５７】  ステップＳ１０５において、送信制御部８６４は、操作入力部８４から入力された選択信号をサーバ７へ送信する。
【００５８】  続いて、サーバ７から操作入力部８４を介して選択された症例ファイルにおける画像データ群の状態情報を受信した場合（ステップＳ１０６：Ｙｅｓ）、端末装置８は、後述するステップＳ１０７へ移行する。これに対して、サーバ７から操作入力部８４を介して選択された症例ファイルにおける画像データ群の状態情報を受信していない場合（ステップＳ１０６：Ｎｏ）、端末装置８は、上述したステップＳ１０５へ戻る。
【００５９】  ステップＳ１０７において、推定部８６２は、症例ファイルにおける画像データ群の状態情報にユーザの所見に関する所見情報があるか否かを判定する。推定部８６２が症例ファイルにおける画像データ群の状態情報に所見情報があると判定した場合（ステップＳ１０７：Ｙｅｓ）、端末装置８は、後述するステップＳ１１０へ移行する。これに対して、推定部８６２が症例ファイルにおける画像データ群の状態情報に所見情報がないと判定した場合（ステップＳ１０７：Ｎｏ）、端末装置８は、後述するステップＳ１０８へ移行する。
【００６０】  ステップＳ１０８において、推定部８６２は、症例ファイルにおける画像データ群の状態情報にユーザの所見に関する所見情報がないため、症例ファイルの画像データ群に対する読影ワークフローを、画像データ群に対して新規に読影を行う新規読影ワークフローと推定する。ここで、新規読影ワークフローとは、ユーザが症例ファイルの画像データ群に対して初めて読影を行うこと、ユーザが症例ファイルの画像データ群に対して、一度、概要だけを確認している状態で初めて詳細に読影を行うこと、およびユーザが症例ファイルの画像データ群に対して、読影を完了しているが、異なる別のユーザが再度、一から読影を行うことのいずれかである。
【００６１】  続いて、設定部８６３は、推定部８６２が推定した新規読影ワークフローに基づいて、操作入力部８４によって選択された症例ファイルの画像データ群に対して端末装置８において最適に画像を閲覧するための送信画像データ群および送信順を設定する（ステップＳ１０９）。ステップＳ１０９の後、端末装置８は、後述するステップＳ１１８へ移行する。具体的には、設定部８６３は、症例ファイルの画像データ群に対し、画像データ群の全体像を俯瞰的に閲覧可能な送信画像データ群および送信順を設定する。なお、設定部８６３は、症例ファイルの画像データ群に対し、画像データ群の先頭の画像データ（最も撮影時刻が古い）から送信されるように送信順を設定してもよいし、所定の臓器、例えば小腸が写る最初の画像データ（幽門が写る十二指腸の画像）から送信されるように送信順を設定してもよい。また、画像データ群の全体像を俯瞰的に閲覧可能な送信画像データ群および送信順を設定する場合、設定部８６３は、症例ファイルの画像データ群に対し、平均色バーＴ１に対応する画像データ群、時系列画像における最初の所定枚数（例えば１００枚）の画像データ群および赤色を検出している画像データ群を、送信画像データに設定する。そして、設定部８６３は、例えば平均色バーＴ１に対応する画像データ群、時系列画像における最初の所定枚数（例えば１００枚）の画像データ群および赤色を検出している画像データ群の順に送信順を設定する。この場合において、設定部８６３は、ユーザがスライドバーＴ２（図４を参照）を用いて画像を選択したとき、ユーザがスライドバーＴ２（図４を参照）によって選択した画像の時間より後の所定枚数（例えば１００枚）およびユーザがスライドバーＴ２によって選択した画像の時間より前の所定枚数（例えば１００枚）を送信画像データ群に設定する。さらに、設定部８６３は、ユーザがスライドバーＴ２によって選択した画像の時間より後の所定枚数およびユーザがスライドバーＴ２によって選択した画像の時間より前の所定枚数の順に送信順を設定する。
【００６２】  また、設定部８６３は、ユーザが選択した症例ファイルにおける画像データ群の概略確認を行うためにオーバビューモードを選択した場合、症例ファイルの画像データ群に対し、平均色バーＴ１に対応する画像データ群およびオーバービュー画面用の画像データ群を送信画像データ群に設定するとともに、平均色バーＴ１に対応する画像データ群およびオーバービュー画面用の画像データ群の順に送信順を設定する。この場合において、設定部８６３は、表示部８２が表示するオーバービュー画面でユーザが画像を選択したとき、選択した画像の時間より後の所定枚数（例えば２０枚）および選択した画像の時間より前の所定枚数（例えば２０枚）の順に送信順をさらに設定する。
【００６３】  ステップＳ１１０において、推定部８６２は、症例ファイルにおける画像データ群の状態情報に診断情報があるか否かを判定する。推定部８６２が症例ファイルにおける画像データ群の状態情報に診断情報があると判定した場合（ステップＳ１１０：Ｙｅｓ）、端末装置８は、後述するステップＳ１１３へ移行する。これに対して、推定部８６２が症例ファイルにおける画像データ群の状態情報に診断情報がないと判定した場合（ステップＳ１１０：Ｎｏ）、端末装置８は、後述するステップＳ１１１へ移行する。
【００６４】  ステップＳ１１１において、推定部８６２は、症例ファイルにおける画像データ群の状態情報に所見情報があり、診断情報がないため、画像データ群に対する読影ワークフローを、症例ファイルの画像データ群に対する読影を途中で中断した後に再度読影を行う中断後読影再開ワークフローと推定する。ここで、中断後読影再開ワークフローとは、症例ファイルの画像データ群に対して、途中まで読影が行われているが、同じ人が別の場所や時間に、読影の続きを行うことである。
【００６５】  その後、設定部８６３は、推定部８６２が推定した中断後読影再開ワークフローに基づいて、操作入力部８４によって選択された症例ファイルの画像データ群に対して端末装置８において最適に画像を閲覧するための送信画像データ群および送信順を設定する（ステップＳ１１２）。ステップＳ１１２の後、端末装置８は、後述するステップＳ１１８へ移行する。具体的には、設定部８６３は、前回の読影後から所定時間（例えば２４時間）経過していない場合、症例ファイルの画像データ群に対し、読影を中断した直前の画像の撮影時間を基準に所定時間に前後する所定の枚数の画像データ群を設定する。より具体的には、設定部８６３は、現在のスライドバーＴ２に対応する画像の撮影時間より後の所定枚数（例えば１００枚）および現在のスライドバーＴ２に対応する画像の撮影時間より前の所定枚数（例えば１００枚）を送信画像データ群に設定する。さらに、設定部８６３は、現在のスライドバーＴ２に対応する画像の撮影時間より後の所定枚数（例えば１００枚）および現在のスライドバーＴ２に対応する画像の撮影時間より前の所定枚数（例えば１００枚）の順に送信順を設定する。
【００６６】  また、設定部８６３は、前回の読影後から所定時間（例えば２４時間）経過し、症例ファイルの画像データ群を概略確認する場合、平均色バーＴ１に対応する画像データ群、現在のスライドバーＴ２に対応する画像の撮影時間より後の所定枚数（例えば１００枚）の画像データ群および現在のスライドバーＴ２に対応する画像の撮影時間より前の所定枚数（例えば１００枚）の画像データ群を送信画像データ群に設定する。さらに、設定部８６３は、平均色バーに対応する画像データ群、現在のスライドバーＴ２に対応する画像の撮影時間より後の所定枚数（例えば１００枚）の画像データ群および現在のスライドバーＴ２に対応する画像の撮影時間より前の所定枚数（例えば１００枚）の画像データ群を送信画像データの順に送信順を設定する。
【００６７】  ステップＳ１１３において、推定部８６２は、症例ファイルにおける画像データ群の状態情報に対して診断情報を書き込んだユーザによる診断の終了を示す署名（サイン）があるか否かを判定する。推定部８６２が症例ファイルにおける画像データ群の状態情報に診断情報に対するユーザの署名があると判定した場合（ステップＳ１１３：Ｙｅｓ）、端末装置８は、後述するステップＳ１１６へ移行する。これに対して、推定部８６２が症例ファイルにおける画像データ群の状態情報に診断情報に対するユーザの署名がないと判定した場合（ステップＳ１１３：Ｎｏ）、端末装置８は、後述するステップＳ１１４へ移行する。
【００６８】  ステップＳ１１４において、推定部８６２は、症例ファイルにおける画像データ群の状態情報に、所見情報および診断情報があり、診断情報に対するユーザによる読影の終了を示す署名がないため、症例ファイルの画像データ群に対する読影ワークフローが中断後読影再開ワークフローと推定する。
【００６９】  その後、設定部８６３は、推定部８６２が推定した中断後読影再開ワークフローに基づいて、操作入力部８４によって選択された症例ファイルの画像データ群に対して端末装置８において最適に画像を閲覧するための送信画像データ群および送信順を設定する（ステップＳ１１５）。ステップＳ１１５の後、端末装置８は、後述するステップＳ１１８へ移行する。具体的には、設定部８６３は、前回の読影後から所定時間（例えば２４時間）経過していない場合、症例ファイルの画像データ群に対し、平均色バーＴ１に対応する画像データ群、および読影を中断した直前の画像の撮影時間を基準に所定時間に前後する所定の枚数の画像データ群を設定する。より具体的には、設定部８６３は、平均色バーＴ１に対応する画像データ群を送信画像データ群に設定するとともに、現在のスライドバーＴ２に対応する画像の撮影時間より後の所定枚数（例えば１００枚）の画像データ群および現在のスライドバーＴ２に対応する画像の撮影時間より前の所定枚数（例えば１００枚）の画像データ群を送信画像データ群に設定する。さらに、設定部８６３は、平均色バーＴ１に対応する画像データ群、現在のスライドバーＴ２に対応する画像の撮影時間より後の所定枚数（例えば１００枚）の画像データ群および現在のスライドバーＴ２に対応する画像の撮影時間より前の所定枚数（例えば１００枚）の画像データ群の順に送信順を設定する。
【００７０】  ステップＳ１１６において、推定部８６２は、症例ファイルにおける画像データ群の状態情報に所見情報および診断情報があり、診断情報を書き込んだユーザによる診断の終了を示す署名があるため、症例ファイルの画像データ群に対する読影ワークフローを読影済検査ワークフローと推定する。ここで、読影済検査ワークフローとは、症例ファイルの画像データ群に対して、ユーザが一度読影を行った後に、気になる期間や部分があるため、再度、読影を行うこと、症例ファイルの画像データ群に対して、ユーザが読影を完了しているが、別のユーザが読影結果の内容を確認しながら最終読影を行うこと、症例ファイルの画像データ群に対して、ユーザが読影を完了しているが、別の被検体（患者）の画像データ群や別の症例ファイルの画像データ群を読影している際に参考として読影を行うこと、症例ファイルの画像データ群に対して、ユーザが読影を完了しているが、症例ファイルの画像データ群と同じ被検体（同じ患者）が再度検査（経過観察の検査や再検査）を行ったため、過去の結果を参照して読影を行うこと、および症例ファイルの画像データ群に対して、ユーザが読影を完了しているが、特徴的な症例のため、他の人へのデモ等のために読影を行うことのいずれかである。
【００７１】  続いて、設定部８６３は、推定部８６２が推定した読影済検査ワークフローに基づいて、操作入力部８４によって選択された症例ファイルの画像データ群に対して端末装置８において最適に画像を閲覧するための送信画像データ群および送信順を設定する（ステップＳ１１７）。ステップＳ１１７の後、端末装置８は、後述するステップＳ１１８へ移行する。具体的には、設定部８６３は、前回の読影後、所定時間が経過し、ピックアップ済み画像の確認を行う場合、ピックアップ画像（キャプチャー画像）の撮影時間より後の所定枚数（例えば３０枚）の画像データ群、ピックアップ画像（キャプチャー画像）の撮影時間より前の所定枚数（例えば３０枚）の画像データ群、現在のスライドバーＴ２に対応する画像の撮影時間より後の所定枚数（例えば１００枚）の画像データ群および現在のスライドバーＴ２に対応する画像の撮影時間より前の所定枚数（例えば１００枚）の画像データ群を送信画像データ群に設定する。さらに、設定部８６３は、前回の読影後、所定時間が経過し、ピックアップ済み画像の確認を行う場合、ピックアップ画像（キャプチャー画像）の撮影時間より後の所定枚数（例えば３０枚）、ピックアップ画像（キャプチャー画像）の撮影時間より前の所定枚数（例えば３０枚）、現在のスライドバーＴ２に対応する画像の撮影時間より後の所定枚数（例えば１００枚）および現在のスライドバーＴ２に対応する画像の撮影時間より前の所定枚数（例えば１００枚）の順に送信順を設定する。
【００７２】  図６Ａは、新規読影ワークフローにおいて端末装置８に送信された症例ファイルの画像データ群の送信順およびキャプチャーされた画像を模式的に示す図である。図６Ｂは、読影済検査ワークフローにおいて端末装置８に送信された症例ファイルの画像データ群、画像データ群の送信順および新規読影ワークフローにおいてキャプチャーされた画像を模式的に示す図である。なお、図６Ａおよび図６Ｂにおいて、数字は、画像データ群における画像の撮影順を示す。
【００７３】  図６Ａに示すように、端末装置８は、通常、新規読影ワークフローの場合、症例ファイルの画像データ群に対して、撮影順に画像データ群を要求する。このとき、ユーザは、新規読影ワークフローにおいて表示部８２が表示する画像を見ながら、操作入力部８４を介して特徴的な画像をピックアップする。例えば、ユーザは、画像データ群の期間Ｄ２（画像１０１〜画像２００）において、画像１１０および画像１２５を特徴的な画像としてピックアップする。さらに、ユーザは、画像データ群の期間Ｄ４（画像３０１〜画像４００）において、画像３３０および画像３４３を特徴的な画像としてピックアップする。また、読影作業は、一度だけ行うものとは限らず、同一者が複数回、または別の人が実施する可能性がある。さらに、読影作業は、別の病院や検査機関に依頼し、突き合わせを行う場合もある。読影作業は、複数回行ったとしても、特徴的な画像としてピックアップする画像が同じものである可能性が高い。そこで、設定部８６３は、読影済検査ワークフロー（同じ症例ファイルに対する２回目以降の読影ワークフロー）において、その前の読影作業において特徴的な画像としてピックアップされたキャプチャー画像の近傍を送信画像データ群に設定するとともに、キャプチャー画像の近傍の送信画像データ群に対する送信順を設定する。
【００７４】  具体的には、図６Ｂに示すように、設定部８６３は、推定部８６２が読影済検査ワークフローと推定した場合、その前の読影作業において特徴的な画像としてピックアップされたキャプチャー画像の近傍の画像データ（例えば期間Ｄ２の画像１０１〜画像２００，期間Ｄ４の画像３０１〜画像４００）のみを送信画像データ群に設定するとともに、キャプチャー画像の近傍の送信画像データ群のみを送信順に設定する。より具体的には、設定部８６３は、症例ファイルの画像データ群に対し、ピックアップ画像（キャプチャー画像）の撮影時間より後の所定枚数（例えば３０枚）、ピックアップ画像（キャプチャー画像）の撮影時間より前の所定枚数（例えば３０枚）および平均色バーに対応する画像データ群を送信画像データ群に設定する。さらに、設定部８６３は、ピックアップ画像（キャプチャー画像）の撮影時間より後の所定枚数（例えば３０枚）、ピックアップ画像（キャプチャー画像）の撮影時間より前の所定枚数（例えば３０枚）および平均色バーに対応する画像データ群の順で送信順を設定する。これにより、読影時のダウンロードの待ち時間を軽減することができる。さらに、特徴的な画像としてピックアップされたキャプチャー画像の近傍を送信画像データ群に設定するので、無駄な画像データのダウンロードを行わないので、通信量を軽減することができる。この結果、通信費を安くすることができる。
【００７５】  ステップＳ１１８において、送信制御部８６４は、設定部８６３が設定した送信画像データ群および送信順に基づいて、サーバ７から画像データ群を要求する要求信号を送信する。
【００７６】  続いて、送信制御部８６４は、サーバ７から画像データを受信して一時記録部８５３に記録して表示部８２に表示させる（ステップＳ１１９）。
【００７７】  その後、送信制御部８６４は、操作入力部８４を介して行われるユーザの読影操作に従って、サーバ７から画像データを要求する要求信号を送信する（ステップＳ１２０）。
【００７８】  続いて、操作入力部８４から読影の終了を指示する終了信号が入力された場合（ステップＳ１２１：Ｙｅｓ）、送信制御部８６４は、症例ファイルに対する読影の操作履歴に関する操作状態情報を症例ファイルの状態情報に対応付け、この状態情報をサーバ７へ送信する（ステップＳ１２２）。ステップＳ１２２の後、端末装置８は、本処理を終了する。
【００７９】  ステップＳ１２１において、操作入力部８４から読影の終了を指示する終了信号が入力されていない場合（ステップＳ１２１：Ｎｏ）、端末装置８は、上述したステップＳ１２０へ戻る。
【００８０】  以上説明した本発明の実施の形態１によれば、推定部８６２が画像データ群の状態情報に基づいて、端末装置８において画像データ群を閲覧する際の読影ワークフローの種別を推定し、設定部８６３が推定部８６２によって推定された読影ワークフローに基づいて、選択した画像データ群に対して端末装置８へ送信する送信画像データ群を設定し、送信制御部８６４が設定部８６３によって設定された送信画像データ群を端末装置８へ送信する制御を行うので、読影ワークフローの種別に応じた必要最低限の画像データ群のみを効率的に送信することができる。この結果、画像データのダウンロードを効率的に行うことができるので、ユーザの待ち時間を最小化することができる。
【００８１】  また、本発明の実施の形態１によれば、設定部８６３が推定部８６２によって読影ワークフローが読影済検査ワークフローと推定された場合、画像データ群に対し、所定の情報が付加された画像データのみを送信画像データ群に設定するので、不要な画像データが送信されることを防止することができる。この結果、通信量を抑えることができるので、通信料の増加を防止することができる。
【００８２】（実施の形態１の変形例）  次に、本発明の実施の形態１の変形例について説明する。本実施の形態１の変形例１は、端末装置の設定部が設定する読影済検査ワークフローに基づく送信画像データ群の設定方法が異なる。以下においては、本実施の形態１の変形例に係る端末装置の設定部が設定する読影済検査ワークフローに基づく送信画像データ群の設定方法について説明する。なお、上述した実施の形態１に係る内視鏡システム１と同一の構成には同一の符号を付して説明を省略する。
【００８３】  図７Ａは、新規読影ワークフローにおいて端末装置８に送信された症例ファイルの画像データ群の送信順を模式的に示す図である。図７Ｂは、読影済検査ワークフローにおいて端末装置８に送信された症例ファイルの画像データ群および送信順を模式的に示す図である。なお、図７Ａおよび図７Ｂにおいて、数字は、画像データ群における画像の撮影順を示す。
【００８４】  図７Ａに示すように、端末装置８は、新規読影ワークフローの場合、症例ファイルの画像データ群に対して、撮影順に画像データ群を要求する。このとき、ユーザは、新規読影ワークフローにおいて表示部８２が表示する画像を見ながら、操作入力部８４を介して読影に不要な画像を除外する。例えば、ユーザは、画像データ群の期間Ｄ１や期間Ｄ５の画像データ群を不要な画像として除外する。ここで、不要な画像とは、体外の画像、個人情報を特定できる画像、局部が写るプライバシーの侵害の恐れのある画像、対象以外の部位の画像（例えば小腸用のカプセル型内視鏡の場合、食道、胃および大腸）、画質が悪く読影に不適切な画像および特徴的な部位が写っていない画像である。そこで、設定部８６３は、読影済検査ワークフロー（同じ症例ファイルに対する２回目以降の読影ワークフロー）において、その前の読影作業において、読影に不要な画像として除外された画像データ群を、送信画像データ群から除外する。
【００８５】  具体的には、図７Ｂに示すように、設定部８６３は、推定部８６２が読影済検査ワークフローと推定した場合、その前の読影作業において読影に不要とされた期間Ｄ１（画像１〜画像１００）および期間Ｄ５（画像４０１〜画像５００）を除外して送信画像データ群を設定する。これにより、読影時のダウンロードの待ち時間を軽減することができる。さらに、読影に不要と判断された画像データ群を送信画像データ群から除外して設定するので、無駄な画像データがダウンロードされることを防止することができる。この結果、通信量を抑えることができるので、通信料の増加を防止することができる。
【００８６】  以上説明した本発明の実施の形態１の変形例によれば、設定部８６３は、推定部８６２が読影済検査ワークフローと推定した場合、その前の読影作業において読影に不要とされた期間Ｄ１（画像１〜画像１００）および期間Ｄ５（画像４０１〜画像５００）を除外して送信画像データ群を設定するので、読影時のダウンロードの待ち時間を軽減することができるとともに、読影に不要と判断された画像データ群を送信画像データ群から除外して設定するので、無駄な画像データがダウンロードされることを防止することができる。この結果、通信量を抑えることができるので、通信料の増加を防止することができる。
【００８７】（実施の形態２）  次に、本発明の実施の形態２について説明する。本実施の形態２に係る内視鏡システムは、上述した実施の形態１に係る内視鏡システム１と同一の構成を有し、端末装置が実行する処理が異なる。以下においては、本実施の形態２に係る端末装置が実行する処理について説明する。なお、上述した実施の形態１に係る内視鏡システム１と同一の構成には同一の符号を付して説明を省略する。
【００８８】  〔端末装置の処理〕  図８は、本実施の形態２に係る端末装置８が実行する処理の概要を示すフローチャートである。図８において、ステップＳ２０１〜ステップＳ２０９は、上述した図５のステップＳ１０１〜ステップＳ１０９それぞれに対応する。
【００８９】  ステップＳ２１０において、推定部８６２は、所見情報が初期値（Default）であるか否かを判定する。具体的には、推定部８６２によって所見情報が初期値であると判定された場合（ステップＳ２１０：Ｙｅｓ）、端末装置８は、ステップＳ２０８へ移行する。これに対して、推定部８６２によって所見情報が初期値でないと判定された場合（ステップＳ２１０：Ｎｏ）、端末装置８は、後述するステップＳ２１１へ移行する。
【００９０】  ステップＳ２１１において、推定部８６２は、症例ファイルにおける画像データ群の状態情報に基づいて、症例ファイルの画像データ群に対して新規な所見情報の作成を行うか否かを判定する。具体的には、推定部８６２は、症例ファイルにおける画像データ群の状態情報に基づいて、所見情報が１つ以上存在するが、操作入力部８４から新規な所見情報の作成を指示する指示信号が入力されたか否かを判定する。推定部８６２が症例ファイルの画像データ群に対して新規な所見情報の作成を行うと判定した場合（ステップＳ２１１：Ｙｅｓ）、端末装置８は、後述するステップＳ２１２へ移行する。これに対して、推定部８６２が症例ファイルの画像データ群に対して新規な所見情報の作成を行わないと判定した場合（ステップＳ２１１：Ｎｏ）、端末装置８は、後述するステップＳ２１４へ移行する。
【００９１】  ステップＳ２１２において、推定部８６２は、症例ファイルにおける画像データ群の状態情報に所見情報があり、所見情報が初期値でないにも関わらず、操作入力部８４から新規な所見情報の作成を指示する指示信号が入力されているため、症例ファイルの画像データ群に対する読影ワークフローを別途新規読影ワークフローと推定する。
【００９２】  続いて、設定部８６３は、推定部８６２が推定した別途新規読影ワークフローに基づいて、操作入力部８４によって選択された症例ファイルの画像データ群に対して端末装置８において最適に画像を閲覧するための送信画像データ群および送信順を設定する（ステップＳ２１３）。この場合、設定部８６３は、上述した実施の形態１の変形例のように、症例ファイルの画像データ群に対し、読影に不要と判断された画像データ群を送信画像データ群から除外して送信画像データ群を設定する。これにより、症例ファイルにおける画像データ群の状態情報に所見情報があり、所見情報が初期値でないにも関わらず、新規な所見情報を作成する場合であっても、無駄な画像データがダウンロードされることを防止することができ、通信量を軽減することができるとともに、無駄なダウンロードによる待ち時間を短くすることができる。ステップＳ２１３の後、端末装置８は、後述するステップＳ２２２へ移行する。
【００９３】  ステップＳ２１４〜ステップＳ２２６は、図５のステップＳ１１０〜ステップＳ１２２それぞれに対応する。ステップＳ２２６の後、端末装置８は、本処理を終了する。
【００９４】  以上説明した本発明の実施の形態２によれば、読影ワークフローの種別に応じた必要最低限の画像データ群のみを効率的に送信することができる。この結果、画像データのダウンロードを効率的に行うことができるので、ユーザの待ち時間を最小化することができる。
【００９５】  また、本発明の実施の形態２によれば、設定部８６３が読影に不要と判断された画像データ群を送信画像データ群から除外して送信画像データ群のみを設定するので、不要な画像データが送信されることを防止することができる。この結果、通信量を抑えることができるので、通信料の増加を防止することができる。
【００９６】（実施の形態３）  次に、本発明の実施の形態３について説明する。本実施の形態３に係る内視鏡システムは、上述した実施の形態１に係る内視鏡システム１と同一の構成を有し、端末装置が実行する処理が異なる。具体的には、上述した実施の形態１では、症例ファイルにおける画像データ群の状態情報に含まれる所見情報、診断情報および署名に基づいて、画像データ群の状態に応じた読影ワークフローの種別を推定して画像データ群における送信画像データ群を設定していたが、本実施の形態３では、症例ファイルにおける画像データ群の状態情報に含まれるログ情報に基づいて、読影ワークフローの種別を推定して症例ファイルの画像データ群における送信画像データ群を設定する。以下においては、本実施の形態３に係る端末装置が実行する処理について説明する。なお、上述した実施の形態１に係る内視鏡システム１と同一の構成には同一の符号を付して説明を省略する。
【００９７】  〔端末装置の処理〕  図９は、本実施の形態３に係る端末装置８が実行する処理の概要を示すフローチャートである。図９において、ステップＳ３０１〜ステップＳ３０６は、上述した図５のステップＳ１０１〜ステップＳ１０６それぞれに対応する。
【００９８】  ステップＳ３０７において、推定部８６２は、操作入力部８４を介して選択された症例ファイルにおける画像データ群の状態情報に含まれるログ情報に基づいて、症例ファイルにおける画像データ群に対する端末装置８のアクセスログがあったか否かを判定する。ここで、ログ情報とは、端末装置８による画像データ群に対するアクセスログ情報、端末装置８において画像データを閲覧した際の操作ログ情報、端末装置８における画像データ群を閲覧する際の閲覧モードに関する閲覧モードログ情報、画像データ群を読影したユーザを識別する識別ログ情報および端末装置８において画像データ群を閲覧した閲覧時間に関する閲覧時間ログ情報である。推定部８６２が症例ファイルの画像データ群に対して端末装置８のアクセスログがあったと判定した場合（ステップＳ３０７：Ｙｅｓ）、端末装置８は、後述するステップＳ３０８へ移行する。これに対して、推定部８６２が症例ファイルの画像データ群に対して端末装置８のアクセスログがなかったと判定した場合（ステップＳ３０７：Ｎｏ）、端末装置８は、後述するステップＳ３１０へ移行する。
【００９９】  ステップＳ３０８において、推定部８６２は、症例ファイルにおける画像データ群の状態情報に含まれるログ情報に基づいて、端末装置８が症例ファイルの画像データ群に対してアクセスしていた時間が所定時間以上であるか否かを判定する。具体的には、推定部８６２は、症例ファイルの状態情報に含まれるログ情報の閲覧時間ログ情報に基づいて、端末装置８が症例ファイルの画像データ群に対してアクセスしていた時間が所定時間、例えば１０分以上であるか否かを判定する。推定部８６２によって端末装置８が症例ファイルの画像データ群に対してアクセスしていた時間が所定時間以上であると判定された場合（ステップＳ３０８：Ｙｅｓ）、端末装置８は、後述するステップＳ３０９へ移行する。これに対して、推定部８６２によって端末装置８が症例ファイルの画像データ群に対してアクセスしていた時間が所定時間以上でないと判定された場合（ステップＳ３０８：Ｎｏ）、端末装置８は、後述するステップＳ３１０へ移行する。
【０１００】  ステップＳ３０９において、推定部８６２は、症例ファイルにおける画像データ群の状態情報に含まれるログ情報に基づいて、端末装置８が症例ファイルの画像データ群に対して簡易的な方法でのみアクセスしたか否かを判定する。具体的には、推定部８６２は、症例ファイルにおける画像データ群の状態情報に含まれるログ情報の閲覧モードログ情報または閲覧時間ログ情報に基づいて、端末装置８が症例ファイルの画像データ群に対して全体を読影しているが、この読影時におけるフレームレートの設定が早いか（例えば２４０ｆｐｓ）、または症例ファイルの画像データ群に対してオーバビューモード等の一覧モードによって読影を行ったか否かを判定することによって、簡易的な方法でのみアクセスしたか否かを判定する。推定部８６２によって端末装置８が症例ファイルの画像データ群に対して簡易的な方法でのみアクセスしていたと判定された場合（ステップＳ３０９：Ｙｅｓ）、端末装置８は、後述するステップＳ３１０へ移行する。これに対して、推定部８６２によって端末装置８が症例ファイルの画像データ群に対して簡易的な方法でのみアクセスしていないと判定された場合（ステップＳ３０９：Ｎｏ）、端末装置８は、後述するステップＳ３１２へ移行する。
【０１０１】  ステップＳ３１０およびステップＳ３１１は、上述した図５のステップＳ１０８およびステップＳ１０９それぞれに対応する。ステップＳ３１１の後、端末装置８は、後述するステップＳ３２０へ移行する。
【０１０２】  ステップＳ３１２において、推定部８６２は、症例ファイルにおける画像データ群の状態情報に含まれるログ情報に基づいて、端末装置８が症例ファイルの画像データ群に対して前回アクセスした端末装置８のＩＤと同じであるか否かを判定する。具体的には、推定部８６２は、症例ファイルにおける画像データ群の状態情報に含まれるログ情報の識別ログ情報に基づいて、症例ファイルの画像データ群に対して前回アクセスした人と別の人がアクセスしているか否かを判定する。推定部８６２によって端末装置８が症例ファイルの画像データに対して前回アクセスした端末装置８のＩＤと同じであると判定された場合（ステップＳ３１２：Ｙｅｓ）、端末装置８は、後述するステップＳ３１３へ移行する。これに対して、推定部８６２によって端末装置８が症例ファイルの画像データ群に対して前回アクセスした端末装置８のＩＤと同じでないと判定された場合（ステップＳ３１２：Ｎｏ）、端末装置８は、後述するステップＳ３１７へ移行する。
【０１０３】  ステップＳ３１３において、推定部８６２は、症例ファイルにおける画像データ群の状態情報に含まれるログ情報に基づいて、端末装置８が症例ファイルに対して前回アクセスした時間から所定時間内であるか否かを判定する。具体的には、推定部８６２は、症例ファイルにおける画像データ群の状態情報に含まれるログ情報の閲覧時間ログ情報に基づいて、端末装置８が症例ファイルの画像データ群に対して前回アクセスした時間から２週間以内であるか否かを判定する。推定部８６２によって端末装置８が症例ファイルの画像データ群に対して前回アクセスした時間から所定時間内であると判定された場合（ステップＳ３１３：Ｙｅｓ）、端末装置８は、後述するステップＳ３１４へ移行する。これに対して、推定部８６２によって端末装置８が症例ファイルの画像データ群に対して前回アクセスした時間から所定時間内でないと判定された場合（ステップＳ３１３：Ｎｏ）、端末装置８は、後述するステップＳ３１７へ移行する。
【０１０４】  ステップＳ３１４において、推定部８６２は、症例ファイルにおける画像データ群の状態情報に含まれるログ情報に基づいて、症例ファイルの画像データ群に対してユーザの最終診断の署名があるか否かを判定する。推定部８６２によって症例ファイルの画像データ群に対してユーザの最終診断の署名があると判定された場合（ステップＳ３１４：Ｙｅｓ）、端末装置８は、後述するステップＳ３１５へ移行する。これに対して、推定部８６２によって症例ファイルの画像データ群に対してユーザの最終診断の署名がないと判定された場合（ステップＳ３１４：Ｎｏ）、端末装置８は、後述するステップＳ３１７へ移行する。
【０１０５】  ステップＳ３１５は、上述した図５のステップＳ１１６に対応する。ステップＳ３１５の後、端末装置８は、後述するステップＳ３１６へ移行する。
【０１０６】  ステップＳ３１６において、設定部８６３は、推定部８６２が推定した読影済検査ワークフローに基づいて、操作入力部８４によって選択された症例ファイルの画像データ群に対して端末装置８において最適に画像を閲覧するための送信画像データ群および送信順を設定する。ステップＳ３１６の後、端末装置８は、後述するステップＳ３２０へ移行する。
【０１０７】  図１０Ａは、新規読影ワークフローにおいて端末装置８に送信された症例ファイルの画像データ群の送信順、新規読影ワークフローにおいてキャプチャーされた画像および所定期間毎の閲覧時間を模式的に示す図である。図１０Ｂは、読影済検査ワークフローにおいて端末装置８に送信された症例ファイルの画像データ群、画像データ群の送信順および新規読影ワークフローにおいてキャプチャーされた画像を模式的に示す図である。なお、図１０Ａおよび図１０Ｂにおいて、数字は、画像データ群における画像の撮影順を示す。
【０１０８】  図１０Ａに示すように、端末装置８は、通常、新規読影ワークフローの場合、症例ファイルの画像データ群に対して、撮影順に画像データ群を要求する。このとき、ユーザは、新規読影ワークフローにおいて表示部８２が表示する画像を見ながら、操作入力部８４を介して特徴的な画像をピックアップする。例えば、ユーザは、画像データ群の期間Ｄ２（画像１０１〜２００）において、画像１１２および画像１６７を特徴的な画像としてピックアップする。また、ユーザは、画像データ群の期間Ｄ２（画像１０１〜２００）において、最終的に期間Ｄ２においてピックアップしなかったが、何度も確認した画像を、読影後に再度確認したくなる。このため、設定部８６３は、読影済検査ワークフロー（同じ症例ファイルに対する２回目以降の読影ワークフロー）において、その前の読影作業の操作ログに基づいて、時間をかけて読影した期間の画像データ群を優先的にダウンロードする送信画像データ群として設定する。
【０１０９】  具体的には、図１０Ｂに示すように、設定部８６３は、推定部８６２が読影済検査ワークフローと推定した場合、症例ファイルにおける画像データ群の状態情報に含まれるログ情報の操作ログに基づいて、その前の読影作業において時間をかけて読影した期間の画像データ群を他の期間の画像データ群と比較して優先的にダウンロードする送信画像データ群として設定する。より具体的には、設定部８６３は、症例ファイルの画像データ群に対し、期間Ｄ２の画像データ群（画像１０１〜画像２００）、期間Ｄ３の画像データ群（画像２０１〜画像３００）および期間Ｄ４の画像データ群（画像３０１〜画像４００）の順に送信順を設定する。この場合において、設定部８６３は、期間Ｄ４においてピックアップ画像（画像３０９，画像３５３）があるときであっても、読影した時間が長い期間Ｄ３の画像データ群を、読影した時間が短い期間Ｄ４の画像データ群より優先的に送信順を早く設定する。即ち、設定部８６３は、症例ファイルにおける画像データ群の状態情報に含まれるログ情報の操作ログに基づいて、読影時間が長い期間の画像データ群を送信画像データ群に優先的に設定する。これにより、前回の読影と同じ画像を探索する場合、画像データのダウンロード時間を短くすることができる。
【０１１０】  ステップＳ３１７において、推定部８６２は、症例ファイルにおける画像データ群の状態情報に含まれるログ情報に基づいて、ユーザが症例ファイルの画像データ群の全てにアクセスしたか否かを判定する。推定部８６２によってユーザが症例ファイルの画像データ群の全てにアクセスしたと判定された場合（ステップＳ３１７：Ｙｅｓ）、端末装置８は、ステップＳ３１５へ移行する。これに対して、推定部８６２によってユーザが症例ファイルの画像データ群の全てにアクセスしていないと判定された場合（ステップＳ３１７：Ｎｏ）、端末装置８は、後述するステップＳ３１８へ移行する。
【０１１１】  ステップＳ３１８およびステップＳ３１９は、上述した図５のステップＳ１１１およびステップＳ１１２にそれぞれ対応する。また、ステップＳ３２０〜ステップＳ３２４は、上述した図５のステップＳ１１８〜ステップＳ１２２それぞれに対応する。ステップＳ３２４の後、端末装置８は、本処理を終了する。
【０１１２】  以上説明した本発明の実施の形態３によれば、読影時のダウンロードの待ち時間を軽減することができる。さらに、読影に不要と判断された画像データ群を送信画像データ群から除外して設定するので、無駄な画像データがダウンロードされることを防止することができる。この結果、通信量を抑えることができるので、通信料の増加を防止することができる。
【０１１３】  また、本発明の実施の形態３では、症例ファイルにおける画像データ群の状態情報のログ情報、画像データ群に対するユーザの所見に関する所見情報、画像データ群に対する読影結果に基づく診断情報および該診断情報を行ったユーザの署名に関する署名情報の各々の有無に関する有無情報に基づいて、読影ワークフローの種別を推定してもよい。
【０１１４】（実施の形態３の変形例）  次に、本発明の実施の形態３の変形例について説明する。本実施の形態３の変形例に係る端末装置は、上述した実施の形態３に係る端末装置８と同一の構成を有し、実行する処理が異なる。以下においては、本実施の形態３の変形例に係る端末装置が実行する処理について説明する。なお、上述した実施の形態３に係る内視鏡システム１と同一の構成には同一の符号を付して説明を省略する。
【０１１５】  〔端末装置の処理〕  図１１は、本実施の形態３の変形例に係る端末装置８が実行する処理の概要を示すフローチャートである。本実施の形態３の変形例に係る端末装置８では、上述した図９のステップＳ３１７に替えて、ステップＳ３１７ａを実行し、それ以外の処理は、上述した図９と同様の処理を実行するため、説明を省略する。
【０１１６】  ステップＳ３１７ａにおいて、推定部８６２は、症例ファイルにおける画像データ群のログ情報に基づいて、読影を終了した時点の再生位置が時系列画像の後半であるか否かを判定する。具体的には、推定部８６２は、症例ファイルにおける画像データ群のログ情報の操作ログ情報に基づいて、ユーザが読影を終了した時点の再生位置、スライドバーＴ２（図４を参照）の位置が時系列画像の後半であるか否かを判定する。もちろん、推定部８６２は、症例ファイルにおける画像データ群のログ情報に基づいて、スライドバーＴ２の時間またはタイムコードＴ３の時間に応じて、時系列画像の後半であるか否かを判定してもよい。推定部８６２によって読影を終了した時点の再生位置が時系列画像の後半であると推定された場合（ステップＳ３１７ａ：Ｙｅｓ）、端末装置８は、ステップＳ３１５へ移行する。これに対して、推定部８６２によって読影を終了した時点の再生位置が時系列画像の後半でないと推定された場合（ステップＳ３１７ａ：Ｎｏ）、端末装置８は、ステップＳ３１８へ移行する。
【０１１７】  以上説明した本発明の実施の形態３の変形例によれば、読影時のダウンロードの待ち時間を軽減することができる。さらに、読影に不要と判断された画像データ群を送信画像データ群から除外して設定するので、無駄な画像データがダウンロードされることを防止することができる。この結果、通信量を抑えることができるので、通信料の増加を防止することができる。
【０１１８】（実施の形態４）  次に、本発明の実施の形態４について説明する。本実施の形態４に係る内視鏡システムは、上述した実施の形態１に係る内視鏡システム１のサーバ７と構成が異なる。さらに、上述した実施の形態１では、端末装置８がサーバ７から送信される画像データ群および送信順を設定してサーバ７に要求していたが、本実施の形態４では、サーバが端末装置へ送信する画像データ群および送信順を設定して端末装置へ送信する。以下においては、本実施の形態４に係るサーバの構成を説明後、本実施の形態４に係るサーバが実行する処理について説明する。なお、上述した実施の形態１に係る内視鏡システム１と同一の構成には同一の符号を付して説明を省略する。
【０１１９】  〔サーバの詳細な構成〕  図１２は、本実施の形態４に係るサーバの機能構成を示すブロック図である。図１２に示すサーバ７ａは、上述した実施の形態１に係るサーバ７のサーバ制御部７３に換えて、サーバ制御部７３ａを備える。
【０１２０】  サーバ制御部７３ａは、サーバ７ａを構成する各部に対する指示やデータの転送等を行うことによって、サーバ７ａの動作を統括的に制御する。サーバ制御部７３ａは、推定部８３２と、設定部８３３と、送信制御部８３４と、を有する。
【０１２１】  推定部８３２は、端末装置８から選択された症例ファイルの状態を示す状態情報に基づいて、端末装置８において画像データ群を閲覧する際の読影ワークフローを推定する。
【０１２２】  設定部８３３は、推定部８３２が推定した読影ワークフローに基づいて、端末装置８において選択された症例ファイルの画像データ群に対して端末装置８へ送信する送信画像データ群および送信順を設定する。
【０１２３】  送信制御部８３４は、設定部８３３が設定した送信順に従って送信画像データ群を端末装置８へ順次送信する制御を行う。
【０１２４】  〔サーバの処理〕  次に、サーバ７ａが実行する処理について説明する。図１３は、サーバ７ａが実行する処理の概要を示すフローチャートである。
【０１２５】  図１３に示すように、まず、ネットワークＮ１００を介して端末装置８からアクセスがあった場合（ステップＳ４０１：Ｙｅｓ）、サーバ７ａは、アクセスがあった端末装置８へ記録部７２が記録する症例ファイル毎の症例一覧データを送信する（ステップＳ４０２）。
【０１２６】  続いて、ネットワークＮ１００を介して端末装置８から記録部７２が記録する複数の症例のうちいずれか一つの症例を選択する選択信号（要求信号）を受信した場合（ステップＳ４０３：Ｙｅｓ）、サーバ７ａは、後述するステップＳ４０５へ移行する。これに対して、ネットワークＮ１００を介して端末装置８から記録部７２が記録する複数の症例のうちいずれか一つの症例を選択する選択信号を受信していない場合（ステップＳ４０３：Ｎｏ）、サーバ７ａは、後述するステップＳ４０４へ移行する。
【０１２７】  ステップＳ４０４〜ステップＳ４１５は、上述した図５のステップＳ１０４、ステップＳ１０７〜ステップＳ１１７それぞれに対応し、端末装置８の推定部８６２、設定部８６３に換えて、サーバ７ａの推定部８３２および設定部８３３が同様に実行するため、詳細な説明は省略する。
【０１２８】  ステップＳ４１６において、送信制御部８３４は、設定部８３３が設定した症例ファイルの送信画像データ群および送信順に基づいて、端末装置８へ画像データ群を、ネットワークＮ１００を介して送信する。
【０１２９】  続いて、送信制御部８３４は、ネットワークＮ１００を介して、端末装置８の操作入力部８４を介して行われるユーザの読影操作に従って、画像データを送信する（ステップＳ４１７）。
【０１３０】  その後、ネットワークＮ１００を介して端末装置８の操作入力部８４から読影の終了を指示する終了信号が入力された場合（ステップＳ４１８：Ｙｅｓ）、端末装置８による症例ファイルに対する読影の操作履歴に関する操作状態情報を症例ファイルの状態情報に対応付けて記録部７２に記録する（ステップＳ４１９）。ステップＳ４１９の後、サーバ７ａは、本処理を終了する。これに対して、ネットワークＮ１００を介して端末装置８の操作入力部８４から読影の終了を指示する終了信号が入力されていない場合（ステップＳ４１８：Ｎｏ）、サーバ７ａは、ステップＳ４１７へ戻る。
【０１３１】  ステップＳ４０１において、ネットワークＮ１００を介して端末装置８からアクセスがない場合（ステップＳ４０１：Ｎｏ）、サーバ７ａは、本処理を終了する。
【０１３２】  以上説明した本発明の実施の形態４によれば、端末装置８における読影時のダウンロードの待ち時間を軽減することができる。さらに、読影に不要と判断された画像データ群を送信画像データ群から除外して設定するので、無駄な画像データがダウンロードされることを防止することができる。この結果、端末装置８の通信量を抑えることができるので、通信料の増加を防止することができる。
【０１３３】  また、本発明の実施の形態４では、端末装置８から選択された症例ファイルにおける画像データ群の状態情報の画像データ群に対するユーザの所見に関する所見情報、画像データ群に対する読影結果に基づく診断情報および該診断情報を行ったユーザの署名に関する署名情報の各々の有無に関する有無情報に基づいて、読影ワークフローの種別を推定していたが、上述した実施の形態３と同様に、端末装置８から選択された症例ファイルにおける画像データ群の状態情報のログ情報に基づいて、読影ワークフローの種別を推定してもよい。もちろん、端末装置８から選択された症例ファイルにおける画像データ群の状態情報の画像データ群に対するユーザの所見に関する所見情報、画像データ群に対する読影結果に基づく診断情報、該診断情報を行ったユーザの署名に関する署名情報の各々の有無に関する有無情報およびログ情報に基づいて、読影ワークフローの種別を推定してもよい。
【０１３４】（その他の実施の形態）  本発明は、上述した実施の形態に限定されるものではなく、本発明の要旨の範囲内で種々の変形や応用が可能なことは勿論である。例えば、本発明の説明に用いた内視鏡システム以外にも、ネットワークを介して携帯電話やスマートフォン等に動画を配信するサーバ、ネットワークアタッチトストレージ（Network  Attached  storage）、ビデオカメラ、内視鏡、監視カメラ、顕微鏡のような光学機器を通してネットワークと双方向に通信可能な撮像装置等の機器にも適用できる。
【０１３５】  また、本発明では、一つのサーバから端末装置が画像データ群をダウンロードしていたが、複数のサーバから画像データ群をダウンロードする場合であっても適用することができる。
【０１３６】  また、本明細書において、前述の各動作フローチャートの説明において、便宜上「まず」、「次に」、「続いて」、「その後」等を用いて動作を説明しているが、この順で動作を実施することが必須であることを意味するものではない。
【０１３７】  また、上述した実施の形態における端末装置およびサーバによる各処理の手法、即ち、各フローチャートに示す処理は、いずれもＣＰＵ等の制御部に実行させることができるプログラムとして記憶させておくこともできる。この他、メモリカード（ＲＯＭカード、ＲＡＭカード等）、磁気ディスク、光ディスク（ＣＤ−ＲＯＭ、ＤＶＤ等）、半導体メモリ等の外部記憶装置の記憶媒体に格納して配布することができる。そして、ＣＰＵ等の制御部は、この外部記憶装置の記憶媒体に記憶されたプログラムを読み込み、この読み込んだプログラムによって動作が制御されることにより、上述した処理を実行することができる。
【０１３８】  また、本発明は、上述した実施の形態および変形例そのままに限定されるものではなく、実施段階では、発明の要旨を逸脱しない範囲内で構成要素を変形して具体化することができる。また、上述した実施の形態に開示されている複数の構成要素を適宜組み合わせることによって、種々の発明を形成することができる。例えば、上述した実施の形態および変形例に記載した全構成要素からいくつかの構成要素を削除してもよい。さらに、各実施例および変形例で説明した構成要素を適宜組み合わせてもよい。
【０１３９】  また、明細書または図面において、少なくとも一度、より広義または同義な異なる用語とともに記載された用語は、明細書または図面のいかなる箇所においても、その異なる用語に置き換えることができる。このように、発明の主旨を逸脱しない範囲内において種々の変形や応用が可能である。
【符号の説明】
【０１４０】  １  内視鏡システム  ２  被検体  ３  カプセル型内視鏡  ４  受信アンテナユニット  ４ａ〜４ｈ  受信アンテナ  ５  受信装置  ６  検査情報管理装置  ７，７ａ  サーバ  ８  端末装置  ６１  クレードル  ６２  操作入力デバイス  ７１，８１  通信部  ８２  表示部  ８３  タッチパネル  ８４  操作入力部  ７２，８５  記録部  ８６  端末制御部  ７３，７３ａ  サーバ制御部  ８５１，７２１  プログラム記録部  ８５２，７２２  画像データ記録部  ８５３  一時記録部  ８６１  表示制御部  ８６２，８３２  推定部  ８６３，８３３  設定部  ８６４，８３４  送信制御部  ７３１  サーバ送信制御部
【図１】
2018074223.tif 000003
【図２】
2018074223.tif 000004
【図３】
2018074223.tif 000005
【図４】
2018074223.tif 000006
【図５】
2018074223.tif 000007
【図６Ａ】
2018074223.tif 000008
【図６Ｂ】
2018074223.tif 000009
【図７Ａ】
2018074223.tif 000010
【図７Ｂ】
2018074223.tif 000011
【図８】
2018074223.tif 000012
【図９】
2018074223.tif 000013
【図１０Ａ】
2018074223.tif 000014
【図１０Ｂ】
2018074223.tif 000015
【図１１】
2018074223.tif 000016
【図１２】
2018074223.tif 000017
【図１３】
2018074223.tif 000018
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
複数の画像データ群と、前記複数の画像データ群の各々に対応する、操作履歴を含む状態情報とを蓄積する蓄積部と、
前記蓄積部から入力された画像を閲覧可能であり、ネットワークを介して前記蓄積部が蓄積する複数の前記画像データ群のいずれかを選択可能な閲覧部と、
前記蓄積部または前記閲覧部に設けられ、前記閲覧部によって選択された前記画像データ群の状態を示す前記状態情報に基づいて、前記画像データ群のうち、前記蓄積部から前記閲覧部へ送信する画像である送信画像データ群を決定するための読影ワークフローを推定する推定部と、
前記蓄積部または前記閲覧部に設けられ、前記推定部が推定した前記読影ワークフローに基づいて、前記選択した前記画像データ群に対して前記送信画像データ群を設定する設定部と、
前記蓄積部または前記閲覧部に設けられ、前記設定部が設定した前記送信画像データ群を前記蓄積部から前記閲覧部に送信する制御を行う送信制御部と、
を備えたことを特徴とする内視鏡システム。
【請求項２】
前記状態情報には、前記画像データ群に対するユーザの所見に関する所見情報、前記画像データ群に対する読影結果に基づく診断に関する診断情報および該診断情報を書き込んだユーザの署名に関する署名情報の各々の有無に関する有無情報が含まれることを特徴とする請求項１に記載の内視鏡システム。
【請求項３】
前記状態情報には、前記閲覧部による前記画像データ群に対するアクセスログ情報、前記閲覧部において前記画像データ群を閲覧した際の操作ログ情報、前記閲覧部における前記画像データ群を閲覧する際の閲覧モードに関する閲覧モードログ情報、前記画像データ群を読影したユーザを識別する識別ログ情報および前記閲覧部において前記画像データ群を閲覧した閲覧時間に関する閲覧時間ログ情報が含まれることを特徴とする請求項１に記載の内視鏡システム。
【請求項４】
前記設定部は、
前記推定部が推定した前記読影ワークフローに基づいて、前記選択した前記画像データ群に対して、前記閲覧部へ送信する送信順を設定することを特徴とする請求項１に記載の内視鏡システム。
【請求項５】
前記推定部が前記読影ワークフローを前記画像データ群に対して新規に読影を行う新規読影ワークフローと推定した場合、前記選択した前記画像データ群に対し、該画像データ群の全体像を俯瞰的に閲覧可能な前記送信画像データ群を設定し、
前記推定部が前記読影ワークフローを前記画像データ群に対する読影を途中で中断した後に再度読影を行う中断後読影再開ワークフローと推定した場合、前記選択した前記画像データ群に対し、読影を中断した直前の画像データの撮影時刻を基準に前記送信画像データ群を設定し、
前記推定部が前記読影ワークフローを読影が終了した後に再度読影を行う読影済検査ワークフローと推定した場合、前記選択した前記画像データ群に対し、所定の情報が付加された画像データのみを前記送信画像データ群に設定することを特徴とする請求項１に記載の内視鏡システム。
【請求項６】
前記設定部は、
前記推定部が前記読影ワークフローを前記選択した前記画像データ群に対して、別途に新規な読影を行う別途新規読影ワークフローと指定した場合、前記選択した前記画像データ群に対し、該画像データ群の全体像を俯瞰的に閲覧可能な前記送信画像データ群を設定することを特徴とする請求項１に記載の内視鏡システム。
【請求項７】
前記設定部は、前記選択した前記画像データ群に対して、前回の読影で送信不要とされた画像データ群を除外して前記送信画像データ群を設定することを特徴とする請求項１に記載の内視鏡システム。
【請求項８】
前記推定部は、
前記所見情報が無い場合、前記読影ワークフローを前記画像データ群に対して新規に読影を行う新規読影ワークフローと推定し、
前記所見情報が有り、前記診断情報および前記署名情報の各々が無い場合、前記読影ワークフローを前記画像データ群に対する読影を途中で中断した後に再度読影を行う中断後読影再開ワークフローと推定し、
前記所見情報、前記診断情報および前記署名情報の各々がある場合、前記読影ワークフローを読影が終了した後に再度読影を行う読影済検査ワークフローと推定することを特徴とする請求項２に記載の内視鏡システム。
【請求項９】
前記閲覧部は、
前記蓄積部から受信した前記送信画像データ群を一時的に記録する一時記録部と、
前記一時記録部に記録された前記送信画像データ群に対応する画像を表示する表示部と、
を備えたことを特徴とする請求項１に記載の内視鏡システム。
【請求項１０】
前記閲覧部は、
読影の終了を指示する終了信号が入力された場合、該閲覧部による前記画像データ群に対する操作履歴を含む前記状態情報を前記蓄積部に送信することを特徴とする請求項１に記載の内視鏡システム。
【請求項１１】
前記ネットワークは無線通信であることを特徴とする請求項１に記載の内視鏡システム。
【請求項１２】
複数の画像データ群と、前記複数の画像データ群の各々に対応する、操作履歴を含む状態情報とを蓄積する蓄積部に対して双方向に通信可能、かつ、前記蓄積部から入力された画像を閲覧可能な端末装置であって、
前記蓄積部が蓄積する複数の前記画像データ群のいずれかを選択する選択信号の入力を受け付ける操作入力部と、
前記選択した前記画像データ群の状態を示す前記状態情報に基づいて、前記画像データ群のうち、前記蓄積部から当該端末装置へ送信する画像である送信画像データ群を決定するための読影ワークフローを推定する推定部と、
前記推定部が推定した前記読影ワークフローに基づいて、前記選択した前記画像データ群に対して前記送信画像データ群を設定する設定部と、
前記設定部が設定した前記送信画像データ群を前記蓄積部から当該端末装置に送信させる制御を行う送信制御部と、
を備えたことを特徴とする端末装置。
【請求項１３】
画像を表示可能な表示部と、各種操作を指示する操作信号の入力を受け付け可能な操作入力部と、を備えた端末装置に対して、双方向に通信可能なサーバであって、
複数の画像データ群と、前記複数の画像データ群の各々に対応する、操作履歴を含む状態情報とを蓄積する蓄積部と、
前記蓄積部が蓄積する複数の前記画像データ群のいずれか一つの送信を要求する要求信号を前記端末装置から受信した場合、前記要求信号に対応する前記画像データ群の状態を示す前記状態情報に基づいて、前記画像データ群のうち、前記蓄積部から前記端末装置へ送信する画像である送信画像データ群を決定するための読影ワークフローを推定する推定部と、
前記推定部が推定した前記読影ワークフローに基づいて、前記要求信号に対応する前記画像データ群に対して前記送信画像データ群を設定する設定部と、
前記設定部が設定した前記送信画像データ群を前記蓄積部から前記端末装置に送信する制御を行う送信制御部と、
を備えたことを特徴とするサーバ。
【請求項１４】
複数の画像データ群と、前記複数の画像データ群の各々に対応する、操作履歴を含む状態情報とを蓄積する蓄積部と、前記蓄積部から入力された画像を閲覧可能な閲覧部と、を備えた内視鏡システムが実行する送信方法であって、
ネットワークを介して前記蓄積部が蓄積する複数の前記画像データ群のいずれかを選択する選択信号の入力を受け付ける入力ステップと、
前記選択した前記画像データ群の状態を示す前記状態情報に基づいて、前記画像データ群のうち、前記蓄積部から前記閲覧部へ送信する画像である送信画像データ群を決定するための読影ワークフローの種別を推定する推定ステップと、
前記推定ステップが推定した前記読影ワークフローに基づいて、前記選択した前記画像データ群に対して前記送信画像データ群を設定する設定ステップと、
前記設定ステップが設定した前記送信画像データ群を前記蓄積部から前記閲覧部に送信する制御を行う送信制御ステップと、
を含むことを特徴とする送信方法。
【請求項１５】
複数の画像データ群と、前記複数の画像データ群の各々に対応する、操作履歴を含む状態情報とを蓄積する蓄積部と、前記蓄積部から入力された画像を閲覧可能な閲覧部と、を備えた内視鏡システムに、
ネットワークを介して前記蓄積部が蓄積する複数の前記画像データ群のいずれかを選択する選択信号の入力を受け付ける入力ステップと、
前記選択した前記画像データ群の状態を示す前記状態情報に基づいて、前記画像データ群のうち、前記蓄積部から前記閲覧部へ送信する画像である送信画像データ群を決定するための読影ワークフローの種別を推定する推定ステップと、
前記推定ステップが推定した前記読影ワークフローに基づいて、前記選択した前記画像データ群に対して前記送信画像データ群を設定する設定ステップと、
前記設定ステップが設定した前記送信画像データ群を前記蓄積部から前記閲覧部に送信する制御を行う送信制御ステップと、
を実行させることを特徴とするプログラム。
【手続補正２】
【補正対象書類名】明細書
【補正対象項目名】００４５
【補正方法】変更
【補正の内容】
【００４５】
設定部８６３は、推定部８６２が推定した読影ワークフローに基づいて、端末装置８において選択された画像データ群に対して端末装置８へ送信する送信画像データ群を設定する。また、設定部８６３は、推定部８６２が推定した読影ワークフローに基づいて、端末装置８において選択した画像データ群に対して、端末装置８へ送信する送信順を設定する。具体的には、設定部８６３は、推定部８６２が読影ワークフローを画像データ群に対して新規に読影を行う新規読影ワークフローと推定した場合、選択した画像データ群に対し、この画像データ群の全体像を俯瞰的に閲覧可能な送信画像データ群を設定し、推定部８６２が読影ワークフローを画像データ群に対する読影を途中で中断した後に再度読影を行う中断後読影再開ワークフローと推定した場合、選択した画像データ群に対し、読影を中断した直前の画像データの撮影時刻を基準に送信画像データ群を設定し、推定部８６２が読影ワークフローを読影が終了した後に再度読影を行う読影済検査ワークフローと推定した場合、選択した画像データ群に対し、所定の情報が付加された画像データのみを送信画像データ群に設定する。
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
複数の画像データ群と、前記複数の画像データ群の各々に対応する、読影の操作履歴を含む状態情報とを蓄積する蓄積部と、
前記蓄積部から入力された画像を閲覧可能であり、ネットワークを介して前記蓄積部が蓄積する前記複数の画像データ群のいずれかを選択可能な閲覧部と、
前記蓄積部または前記閲覧部に設けられ、前記閲覧部によって選択した前記画像データ群に対応する前記状態情報に基づいて、前記選択した前記画像データ群に対して読影操作が実施されたか否か、あるいは、実施された読影操作が完了しているか否かによって異なる読影ワークフローの種別を推定する推定部と、
前記蓄積部または前記閲覧部に設けられ、前記推定部が推定した前記読影ワークフローの種別に基づいて、前記選択された前記画像データ群に対して、前記蓄積部から前記閲覧部へと送信する画像である送信画像データ群を設定する設定部と、
前記蓄積部または前記閲覧部に設けられ、前記設定部が設定した前記送信画像データ群を前記蓄積部から前記閲覧部に送信する制御を行う送信制御部と、
を備えたことを特徴とする内視鏡システム。
【請求項２】
前記状態情報には、前記画像データ群に対するユーザの所見に関する所見情報、前記画像データ群に対する読影結果に基づく診断に関する診断情報および該診断情報を書き込んだユーザの署名に関する署名情報の各々の有無に関する有無情報が含まれることを特徴とする請求項１に記載の内視鏡システム。
【請求項３】
前記状態情報には、前記閲覧部による前記画像データ群に対するアクセスログ情報、前記閲覧部において前記画像データ群を閲覧した際の操作ログ情報、前記閲覧部における前記画像データ群を閲覧する際の閲覧モードに関する閲覧モードログ情報、前記画像データ群を読影したユーザを識別する識別ログ情報および前記閲覧部において前記画像データ群を閲覧した閲覧時間に関する閲覧時間ログ情報が含まれることを特徴とする請求項１に記載の内視鏡システム。
【請求項４】
前記設定部は、
前記推定部が推定した前記読影ワークフローの種別に基づいて、前記選択した前記画像データ群に対して、前記閲覧部へ送信する送信順を設定することを特徴とする請求項１に記載の内視鏡システム。
【請求項５】
前記推定部が前記読影ワークフローの種別を前記画像データ群に対して新規に読影を行う新規読影ワークフローと推定した場合、前記選択した前記画像データ群に対し、該画像データ群の全体像を俯瞰的に閲覧可能な前記送信画像データ群を設定し、
前記推定部が前記読影ワークフローの種別を前記画像データ群に対して読影を途中で中断した後に再度読影を行う中断後読影再開ワークフローと推定した場合、前記選択した前記画像データ群に対し、読影を中断した直前の画像データの撮影時刻を基準に前記送信画像データ群を設定し、
前記推定部が前記読影ワークフローの種別を読影が終了した後に再度読影を行う読影済検査ワークフローと推定した場合、前記選択した前記画像データ群に対し、所定の情報が付加された画像データのみを前記送信画像データ群に設定することを特徴とする請求項１に記載の内視鏡システム。
【請求項６】
前記設定部は、
前記推定部が前記読影ワークフローの種別を前記選択した前記画像データ群に対して別途に新規な読影を行う別途新規読影ワークフローと指定した場合、前記選択した前記画像データ群に対し、該画像データ群の全体像を俯瞰的に閲覧可能な前記送信画像データ群を設定することを特徴とする請求項１に記載の内視鏡システム。
【請求項７】
前記設定部は、前記選択した前記画像データ群に対して、前回の読影で送信不要とされた画像データ群を除外して前記送信画像データ群を設定することを特徴とする請求項１に記載の内視鏡システム。
【請求項８】
前記推定部は、
前記所見情報が無い場合、前記読影ワークフローの種別を前記画像データ群に対して新規に読影を行う新規読影ワークフローと推定し、
前記所見情報が有り、前記診断情報および前記署名情報の各々が無い場合、前記読影ワークフローの種別を前記画像データ群に対して読影を途中で中断した後に再度読影を行う中断後読影再開ワークフローと推定し、
前記所見情報、前記診断情報および前記署名情報の各々がある場合、前記読影ワークフローの種別を読影が終了した後に再度読影を行う読影済検査ワークフローと推定することを特徴とする請求項２に記載の内視鏡システム。
【請求項９】
前記閲覧部は、
前記蓄積部から受信した前記送信画像データ群を一時的に記録する一時記録部と、
前記一時記録部に記録された前記送信画像データ群に対応する画像を表示する表示部と、
を備えたことを特徴とする請求項１に記載の内視鏡システム。
【請求項１０】
前記閲覧部は、
読影の終了を指示する終了信号が入力された場合、該閲覧部による前記画像データ群に対する操作履歴を含む前記状態情報を前記蓄積部に送信することを特徴とする請求項１に記載の内視鏡システム。
【請求項１１】
前記ネットワークは無線通信であることを特徴とする請求項１に記載の内視鏡システム。
【請求項１２】
複数の画像データ群と、前記複数の画像データ群の各々に対応する、読影の操作履歴を含む状態情報とを蓄積する蓄積部に対して双方向に通信可能、かつ、前記蓄積部から入力された画像を閲覧可能な端末装置であって、
前記蓄積部が蓄積する前記複数の画像データ群のいずれかを選択する選択信号の入力を受け付ける操作入力部と、
前記選択した前記画像データ群に対応する前記状態情報に基づいて、前記選択した前記画像データ群に対して読影操作が実施されたか否か、あるいは、実施された読影操作が完了しているか否かによって異なる読影ワークフローの種別を推定する推定部と、
前記推定部が推定した前記読影ワークフローの種別に基づいて、前記選択した前記画像データ群に対して、前記蓄積部から前記端末装置へと送信する画像である送信画像データ群を設定する設定部と、
前記設定部が設定した前記送信画像データ群を前記蓄積部から当該端末装置に送信させる制御を行う送信制御部と、
を備えたことを特徴とする端末装置。
【請求項１３】
画像を表示可能な表示部と、各種操作を指示する操作信号の入力を受け付け可能な操作入力部と、を備えた端末装置に対して、双方向に通信可能なサーバであって、
複数の画像データ群と、前記複数の画像データ群の各々に対応する、読影の操作履歴を含む状態情報とを蓄積する蓄積部と、
前記蓄積部が蓄積する前記複数の画像データ群のいずれか一つの送信を要求する要求信号を前記端末装置から受信した場合、前記要求信号に対応する前記画像データ群に対応する前記状態情報に基づいて、前記要求信号に対応する前記画像データ群に対して読影操作が実施されたか否か、あるいは、実施された読影操作が完了しているか否かによって異なる読影ワークフローの種別を推定する推定部と、
前記推定部が推定した前記読影ワークフローの種別に基づいて、前記要求信号に対応する前記画像データ群に対して、前記蓄積部から前記端末装置へと送信する画像である送信画像データ群を設定する設定部と、
前記設定部が設定した前記送信画像データ群を前記蓄積部から前記端末装置に送信する制御を行う送信制御部と、
を備えたことを特徴とするサーバ。
【請求項１４】
複数の画像データ群と、前記複数の画像データ群の各々に対応する、読影の操作履歴を含む状態情報とを蓄積する蓄積部と、前記蓄積部から入力された画像を閲覧可能な閲覧部と、を備えた内視鏡システムが実行する送信方法であって、
ネットワークを介して前記蓄積部が蓄積する前記複数の画像データ群のいずれかを選択する選択信号の入力を受け付ける入力ステップと、
前記選択した前記画像データ群に対応する前記状態情報に基づいて、前記選択した前記画像データ群に対して読影操作が実施されたか否か、あるいは、実施された読影操作が完了しているか否かによって異なる読影ワークフローの種別を推定する推定ステップと、
前記推定ステップが推定した前記読影ワークフローの種別に基づいて、前記選択した前記画像データ群に対して、前記蓄積部から前記閲覧部へと送信する画像である送信画像データ群を設定する設定ステップと、
前記設定ステップが設定した前記送信画像データ群を前記蓄積部から前記閲覧部に送信する制御を行う送信制御ステップと、
を含むことを特徴とする送信方法。
【請求項１５】
複数の画像データ群と、前記複数の画像データ群の各々に対応する、読影の操作履歴を含む状態情報とを蓄積する蓄積部と、前記蓄積部から入力された画像を閲覧可能な閲覧部と、を備えた内視鏡システムに、
ネットワークを介して前記蓄積部が蓄積する前記複数の画像データ群のいずれかを選択する選択信号の入力を受け付ける入力ステップと、
前記選択した前記画像データ群に対応する前記状態情報に基づいて、前記選択した前記画像データ群に対して読影操作が実施されたか否か、あるいは、実施された読影操作が完了しているか否かによって異なる読影ワークフローの種別を推定する推定ステップと、
前記推定ステップが推定した前記読影ワークフローの種別に基づいて、前記選択した前記画像データ群に対して、前記蓄積部から前記閲覧部へと送信する画像である送信画像データ群を設定する設定ステップと、
前記設定ステップが設定した前記送信画像データ群を前記蓄積部から前記閲覧部に送信する制御を行う送信制御ステップと、
を実行させることを特徴とするプログラム。
【国際調査報告】
2018074223.tif 000019
2018074223.tif 000020
2018074223.tif 000021
2018074223.tif 000022